(57)【要約】【課題】  物品の置き忘れを防止する。【解決手段】  本発明に係る情報処理装置としてのマルチコピー機（１０）によれば、たとえばコピーサービスの提供の際に、そのディスプレイ（２０２）にコピーモード画面１００が表示される。このコピーモード画面１００は、置き忘れ情報１２０を含む。この置き忘れ情報１２０として、置き忘れられる虞のある複数の物品に対応する複数の表示器１２２、１２４、１２６および１２８が表示される。これらの表示器１２２、１２４、１２６および１２８は、それぞれに対応する物品が所定の箇所から回収されたかどうかに応じた態様で表示される。したがって、ユーザは、これらの表示器１２２、１２４、１２６および１２８の表示態様から、それぞれに対応する物品が所定の箇所から回収されたかどうかを、つまり置き忘れがないかどうかを、認識することができる。【選択図】  図７
2019209480.tif 000002
【特許請求の範囲】
【請求項１】
表示面を有する表示手段、
所定の処理が実行された後、当該所定の処理で使用された複数の物品が、所定の箇所から回収されたかどうかを検出する検出手段、および
前記検出手段による検出結果を前記表示面に表示する表示制御手段を備える、情報処理装置。
【請求項２】
前記表示制御手段は、前記表示面に前記検出結果を図示する、請求項１に記載の情報処理装置。
【請求項３】
前記表示制御手段は、前記情報処理装置の模擬図を前記表示面に表示するとともに、当該模擬図における前記所定の箇所に対応する部分と関連付けた状態で前記検出結果を表示する、請求項２に記載の情報処理装置。
【請求項４】
前記表示制御手段は、前記複数の物品のうち前記所定の箇所から未回収の物品のみについての前記検出結果を表示する、請求項１から３のいずれかに記載の情報処理装置。
【請求項５】
前記表示制御手段は、前記未回収の物品のうち特定の物品についての前記検出結果を強調して表示する、請求項４に記載の情報処理装置。
【請求項６】
前記複数の物品について予め優先度が設定されており、
前記特定の物品は、前記未回収の物品のうち前記優先度が最も高い当該物品である、請求項５に記載の情報処理装置。
【請求項７】
所定の順番に従って定期的または不定期的に前記特定の物品を変更する変更手段をさらに備える、請求項５に記載の情報処理装置。
【請求項８】
原稿の画像を読み取る画像読取処理を行う画像読取手段をさらに備え、
前記所定の処理は、前記画像読取処理を含み、
前記複数の物品は、前記原稿を含む、請求項１から７のいずれかに記載の情報処理装置。
【請求項９】
画像記録媒体に画像を形成する画像形成処理を行う画像形成手段をさらに備え、
前記所定の処理は、前記画像形成処理を含み、
前記複数の物品は、前記画像形成処理により前記画像が形成された後の前記画像記録媒体を含む、請求項１から８のいずれかに記載の情報処理装置。
【請求項１０】
外部記憶媒体が装着されるとともに当該外部記憶媒体との間で第１通信処理を行う記憶媒体装着手段をさらに備え、
前記所定の処理は、前記第１通信処理を含み、
前記複数の物品は、前記外部記憶媒体を含む、請求項１から９のいずれかに記載の情報処理装置。
【請求項１１】
カード型記憶媒体が保持されるとともに当該カード型記憶媒体との間で第２通信処理を行う記憶媒体保持手段をさらに備え、
前記所定の処理は、前記第２通信処理を含み、
前記複数の物品は、前記カード型記憶媒体を含む、請求項１から１０のいずれかに記載の情報処理装置。
【請求項１２】
前記所定の処理の実行に必要な料金の支払を受け付ける支払受付手段をさらに備え、
前記複数の物品は、前記支払受付手段により受け付けられた支払金のうち返却する必要のある金銭を含む、請求項１から１１のいずれかに記載の情報処理装置。
【請求項１３】
前記表示面にユーザ操作を受け付ける操作受付面を形成する操作受付手段をさらに備える、請求項１から１２のいずれかに記載の情報処理装置。
【請求項１４】
表示面を有する表示手段を備えるとともに所定の処理を行う情報処理装置における物品管理方法であって、
前記所定の処理の実行後、当該所定の処理で使用された複数の物品が、所定の箇所から回収されたかどうかを検出する検出ステップ、および
前記検出ステップによる検出結果を前記表示面に表示する表示制御ステップを含む、物品管理方法。
【請求項１５】
表示面を有する表示手段を備えるとともに所定の処理を行う情報処理装置における物品管理プログラムであって、
前記情報処理装置のコンピュータに、
前記所定の処理の実行後、当該所定の処理で使用された複数の物品が、所定の箇所から回収されたかどうか検出する検出手順、および
前記検出手順による検出結果を前記表示面に表示する表示制御手順を実行させる、物品管理プログラム。
【発明の詳細な説明】
【技術分野】
【０００１】
本発明は、情報処理装置、情報処理装置における物品管理方法および物品管理プログラムに関し、特に、所定の処理の実行に際して使用された物品の置き忘れを防止する機能を備える、情報処理装置、情報処理装置における物品管理方法および物品管理プログラムに関する。
【背景技術】
【０００２】
この種の技術の一例が、特許文献１に開示されている。この特許文献１に開示された技術によれば、所定の処理として、原稿の画像を読み取るとともに、この読み取られた原稿の画像を用紙に形成する、言わば印刷する、処理を行う画像形成装置において、原稿の置き忘れ（取り忘れ）を防止するための工夫が凝らされている。具体的には、最終印刷後の用紙が排出されたことなどの特定の動作条件に対応して、原稿の置き忘れがあるか否かの確認が行われ、当該原稿の置き忘れが確認された場合に、その旨が報知される。
【０００３】
また、特許文献２には、用紙に画像を印刷する画像形成装置において、最終印刷後の用紙が排出されたことなどの特定の動作条件に対応して、排出トレイに排出された排出用紙の置き忘れがあるか否かの確認が行われ、当該排出用紙の置き忘れがある場合に、その旨が報知される技術が、開示されている。加えて、特許文献２には、画像形成装置の使用に先だって料金の支払を受け付ける構成において、当該画像形成装置の使用後につり銭が生じた場合に、そのつり銭が排出トレイに排出されることにより、当該つり銭の置き忘れが防止される技術も、開示されている。
【０００４】
さらに、特許文献３には、外部記憶媒体が装着可能であり、この外部記憶媒体に記憶された情報の印刷を行う画像形成装置において、当該外部記憶媒体の置き忘れを防止する技術が、開示されている。具体的には、最終印刷後の用紙が排出されたことなどの特定の動作条件に対応して、外部記憶媒体の置き忘れがあるか否かの確認が行われ、当該外部記憶媒体の置き忘れが確認された場合に、その旨が報知される技術が、開示されている。
【先行技術文献】
【特許文献】
【０００５】
【特許文献１】特開２００５−８４４０３号公報
【特許文献２】特開２００５−８２３３９号公報
【特許文献３】特開２００５−８５０００号公報
【発明の概要】
【発明が解決しようとする課題】
【０００６】
ところで、これらの特許文献１〜３に開示された技術は、コンビニエンスストアなどに設置される画像形成装置、詳しくは複合機（Multifunction Peripheral：ＭＦＰ）、に適用されることが想定されている。複合機は、コピー機能、プリンタ機能、イメージスキャナ機能、ファクシミリ機能などの複数の機能を備える。このような複合機においては、前述の原稿や排出用紙、つり銭、外部記憶媒体のように置き忘れられる虞のある物品（言わば置き忘れ候補）が複数ある。しかも、置き忘れが起こり得る箇所が点在していることが多く、このことは、当該置き忘れを助長する。特に、コンビニエンスストアなどに設置される複合機においては、これを使用する者が当該複合機の操作に不慣れであることが多く、このこともまた、置き忘れを助長する。さらに最近では、住民票の写しなどの所定の公的証明書を発行する行政サービスを提供可能な複合機があるが、この行政サービスの提供を受ける者は、住民基本台帳カードもしくは個人番号カードを当該複合機における所定の箇所にセットする必要がある。この住民基本台帳カードおよび個人番号カードという個人情報が記録された物品については、とりわけ、その取り忘れを防止することが、強く求められる。
【０００７】
そこで、本発明は、置き忘れられる虞のある物品が複数ある場合に、これら複数の物品の置き忘れを防止するのに大きく貢献する新規な情報処理装置、情報処理装置における物品管理方法および物品管理プログラムを提供することを、目的とする。
【課題を解決するための手段】
【０００８】
この目的を達成するために、本発明は、情報処理装置に係る第１の発明、情報処理装置における物品管理方法に係る第２の発明、および情報処理装置における物品管理プログラムに係る第３の発明を含む。
【０００９】
このうちの情報処理装置に係る第１の発明は、表示手段、検出手段および表示制御手段を備える。表示手段は、表示面を有する。検出手段は、情報処理装置による所定の処理が実行された後、当該所定の処理で使用された複数の物品が、所定の箇所から回収されたかどうかを検出する。そして、表示制御手段は、検出手段による検出結果を、表示手段の表示面に表示する。
【００１０】
なお、表示制御手段は、検出手段による検出結果を表示手段の表示面に図示してもよい。
【００１１】
また、表示制御手段は、情報処理装置の模擬図を表示手段の表示面に表示するとともに、当該模擬図における前述の所定の箇所に対応する部分と関連付けた状態で検出手段による検出結果を表示してもよい。
【００１２】
さらに、表示制御手段は、各物品のうち前述の所定の箇所から未回収の物品のみについての検出手段による検出結果を表示してもよい。言い換えれば、表示制御手段は、各物品のうち所定の箇所から既に回収済の物品についての検出手段による検出結果に関しては、非表示としてもよい。
【００１３】
加えて、表示制御手段は、未回収の物品のうち特定の物品についての検出手段による検出結果を、強調して、つまり目立つ態様で、表示してもよい。
【００１４】
ここで、各物品について、予め優先度が定められてもよい。そして、未回収の物品のうち優先度が最も高い物品が、特定の物品として取り扱われてもよい。
【００１５】
これとは別に、変更手段が、さらに備えられてもよい。この変更手段は、所定の順番に従って定期的または不定期的に前述の特定の物品を変更する。
【００１６】
本第１の発明においては、画像読取手段が、さらに備えられてもよい。この画像読取手段は、原稿の画像を読み取る画像読取処理を行う。この場合、所定の処理として、画像読取手段による画像読取処理が含まれてもよい。そして、各物品として、原稿が含まれてもよい。
【００１７】
また、本第１の発明において、画像形成手段が、さらに備えられてもよい。この画像形成手段は、画像記録媒体に画像を形成する画像形成処理を行う。この場合、所定の処理として、画像形成手段による画像形成処理が含まれてもよい。そして、各物品として、画像形成手段による画像形成処理により画像が形成された後の画像記録媒体が含まれてもよい。
【００１８】
さらに、本第１の発明においては、記憶媒体装着手段が、備えられてもよい。この記憶媒体装着手段には、外部記憶媒体が装着される。そして、記憶媒体装着手段は、外部記憶媒体との間で第１通信処理を行う。この場合、所定の処理として、第１通信処理が含まれてもよい。そして、各物品として、外部記憶媒体が含まれてもよい。
【００１９】
さらにまた、本第１の発明においては、記憶媒体保持手段が、備えられてもよい。この記憶媒体保持手段には、カード型記憶媒体が保持される。そして、記憶媒体保持手段は、カード型記憶媒体との間で第２通信処理を行う。この場合、所定の処理として、第２通信処理が含まれてもよい。そして、各物品として、カード型記憶媒体が含まれてもよい。
【００２０】
加えて、本第１の発明においては、支払受付手段が、さらに備えられてもよい。この支払受付手段は、所定の処理の実行に必要な料金の支払を受け付ける。この場合、各物品として、支払受付手段により受け付けられた支払金のうち返却する必要のある金銭が含まれてもよい。
【００２１】
そして、本第１の発明においては、操作受付手段が、さらに備えられてもよい。この操作受付手段は、表示手段の表示面に、ユーザ操作を受け付ける操作受付面を形成する。
【００２２】
本発明のうちの第２の発明に係る情報処理装置における物品管理方法は、検出ステップおよび表示制御ステップを含む。ここで言う情報処理装置は、表示面を有する表示手段を備えるとともに、所定の処理を行う。その上で、検出ステップにおいては、情報処理装置による所定の処理の実行後、当該所定の処理で使用された複数の物品が、所定の箇所から回収されたかどうかを検出する。そして、表示制御ステップにおいては、検出ステップによる検出結果を、表示手段の表示面に表示する。
【００２３】
本発明のうちの第３の発明に係る情報処理装置における物品管理プログラムは、当該情報処理装置のコンピュータに、検出手順および表示制御手順を実行させる。ここで言う情報処理装置は、表示面を有する表示手段を備えるとともに、所定の処理を行う。その上で、検出手順においては、情報処理装置による所定の処理の実行後、当該所定の処理で使用された複数の物品が、所定の箇所から回収されたかどうか検出する。そして、表示制御手順においては、検出手順による検出結果を、表示手段の表示面に表示する。
【発明の効果】
【００２４】
本発明によれば、置き忘れられる虞のある物品が複数ある場合に、これら複数の物品の置き忘れを防止するのに大きく貢献する新規な情報処理装置、情報処理装置における物品管理方法および物品管理プログラムを提供することができる。
【図面の簡単な説明】
【００２５】
【図１】図１は、本発明の第１実施例に係るマルチコピー機の外観図である。
【図２】図２は、第１実施例におけるアプリケーションボックスの電気的な構成を示すブロック図である。
【図３】図３は、第１実施例における複合機本体の電気的な構成を示すブロック図である。
【図４】図４は、第１実施例に係るマルチコピー機が提供可能なサービスとそれぞれのサービスにおいて置き忘れられる虞のある物品との関係を示す図である。
【図５】図５は、第１実施例におけるアプリケーションボックスのディスプレイに表示される操作画面の一例を示す図である。
【図６】図６は、第１実施例におけるコピーモード画面の別の態様の一例を示す図である。
【図７】図７は、第１実施例におけるコピーモード画面のさらに別の態様の一例を示す図である。
【図８】図８は、第１実施例におけるアプリケーションボックスの主記憶部のＲＡＭ内の構成を概念的に示すメモリマップである。
【図９】図９は、第１実施例における置き忘れ検出レジスタの構成を概念的に示す図である。
【図１０】図１０は、第１実施例におけるアプリケーションボックスのＣＰＵが実行する置き忘れ管理処理の一部分の流れを示すフロー図である。
【図１１】図１１は、第１実施例における置き忘れ管理処理の残りの部分の流れを示すフロー図である。
【図１２】図１２は、本発明の第２実施例におけるアプリケーションボックスのディスプレイに表示されるコピーモード画面の一例を示す図である。
【図１３】図１３は、第２実施例におけるコピーモード画面の別の態様の一例を示す図である。
【図１４】図１４は、本発明の第３実施例におけるアプリケーションボックスのディスプレイに表示されるコピーモード画面の一例を示す図である。
【図１５】図１５は、第３実施例におけるアプリケーションボックスのＣＰＵが実行する置き忘れ管理処理の一部分の流れを示すフロー図である。
【図１６】図１６は、第３実施例における置き忘れ管理処理の残りの部分の流れを示すフロー図である。
【図１７】図１７は、本発明の第４実施例におけるアプリケーションボックスのディスプレイに表示されるコピーモード画面の一例を示す図である。
【図１８】図１８は、第４実施例におけるコピーモード画面の別の態様の一例を示す図である。
【図１９】図１９は、第４実施例における優先度テーブルの構成を概念的に示す図である。
【図２０】図２０は、本発明の第５実施例におけるアプリケーションボックスのディスプレイに表示されるコピーモード画面の一例を示す図である。
【図２１】図２１は、第５実施例におけるコピーモード画面の別の態様の一例を示す図である。
【図２２】図２２は、本発明の第６実施例におけるアプリケーションボックスのディスプレイに表示されるコピーモード画面の一例を示す図である。
【図２３】図２３は、第６実施例におけるコピーモード画面の別の態様の一例を示す図である。
【図２４】図２４は、本発明の第７実施例におけるアプリケーションボックスのディスプレイに表示されるコピーモード画面の一例を示す図である。
【図２５】図２５は、第７実施例におけるコピーモード画面の別の態様の一例を示す図である。
【図２６】図２６は、第７実施例におけるアプリケーションボックスのＣＰＵが実行する置き忘れ管理処理の一部分の流れを示すフロー図である。
【発明を実施するための形態】
【００２６】
［第１実施例］
本発明の第１実施例について、図１に示されるマルチコピー機１０を例に挙げて説明する。
【００２７】
本第１実施例に係るマルチコピー機１０は、たとえば不特定多数の者により使用されることを前提として、コンビニエンスストアやスーパーマーケットなどに設置される。このマルチコピー機１０は、コピー機能、プリンタ機能、イメージスキャナ機能、ファクシミリ機能などの複数の機能を備える。これらの機能を備えるマルチコピー機１０は、コピーサービス、プリントサービス、ファックスサービス、スキャンサービス、行政サービスなどの様々なサービスを提供することができる。
【００２８】
コピーサービスにおいては、不図示の原稿の画像を読み取って、この読み取られた画像を画像記録媒体としての不図示の用紙に形成（印刷）することができ、つまりは当該原稿の画像を用紙にコピーすることができる。ここで言う用紙としては、たとえば普通紙、光沢紙および写真用紙がある。また、このコピーサービスにおいては、免許証などのカードのおもて面とうら面とを１枚の用紙に並べてコピーするなど、多彩な機能が用意されている。
【００２９】
プリントサービスには、ＰＤＦ（Portable Document Format）プリントサービス、写真プリントサービス、ネットワークプリントサービスおよびコンテンツプリントサービスが含まれる。
【００３０】
ＰＤＦプリントサービスにおいては、外部記憶媒体としての不図示のメディアに記憶されているＰＤＦファイルに基づく画像を用紙に形成することができ、つまりは当該ＰＤＦファイルの印刷をすることができる。ここで言うメディアとしては、ＵＳＢ（Universal Serial Bus）メモリやＳＤ（Secure Digital）メモリカードなどの半導体メモリタイプのメディア、および、ＣＤ（Compact Disc）やＤＶＤ（Digital Versatile Disc）などのディスクタイプのメディアがある。そして、印刷先となる用紙としては、普通紙および光沢紙がある。このＰＤＦプリントサービスにおいては、スマートフォンやタブレットなどの携帯機器に記憶されているＰＤＦファイルを無線ＬＡＮ（Local Area Network）経由でマルチコピー機１０へ転送して、印刷をすることも可能である。また、携帯機器が赤外線通信機能を備える場合には、この赤外線通信機能により携帯機器からマルチコピー機１０へＰＤＦファイルを転送して、印刷をすることも可能である。すなわち、ＰＤＦプリントサービスにおいては、携帯機器をＰＤＦファイルの供給源（ソース）とすることも可能である。
【００３１】
写真プリントサービスにおいては、前述のメディアに記憶されている所定形式の画像ファイルに基づく写真画像を用紙に形成することができ、つまりは当該画像ファイルの印刷をすることができる。印刷先となる用紙としては、普通紙、光沢紙および写真用紙があるが、とりわけ写真用紙が多い。また、この写真プリントサービスにおいても、スマートフォンやタブレットなどの携帯機器を画像ファイルの供給源とすることができる。
【００３２】
ネットワークプリントサービスにおいては、専用のウェブサイトに予め登録されたファイルの印刷をすることができる。ここで言う専用のウェブサイトに登録可能なファイルとしては、ＰＤＦファイル、所定形式の画像ファイル、および、所定の文書作成ソフトウェアや所定の表計算ソフトウェアなどの所定のアプリケーションソフトウェアにより作成されたファイルがある。そして、印刷先となる用紙としては、普通紙、光沢紙および写真用紙がある。
【００３３】
コンテンツプリントサービスにおいては、マルチコピー機１０によりアクセス可能なコンテンツプロバイダが提供するブロマイドや楽譜などの種々のコンテンツの印刷をすることができる。このコンテンツの印刷先となる用紙としては、普通紙、光沢紙および写真用紙がある。
【００３４】
そして、ファックスサービスにおいては、原稿の画像を電子化して任意のファクシミリ装置へ送信するファックス送信をすることができる。その際、必要に応じて、ファックス送信の結果を表す送信結果表を普通紙に印刷することができる。
【００３５】
さらに、ファックスサービスにおいては、ファックス受信をすることもできる。この場合、ファックス送信をする送信側は、所定の中継センター宛に当該ファックス送信をする。ここで言う送信側は、マルチコピー機１０であってもよいし、一般家庭や企業などに設置された任意のファクシミリ装置であってもよい。この送信側から中継センターへのファックス送信が完了すると、当該中継センターから送信側へ個別の文書番号が通知される。たとえば、送信側がマルチコピー機１０であるときは、当該マルチコピー機１０の後述するディスプレイ２０２に文書番号が表示される。また必要に応じて、この文書番号が記載された前述の送信結果表を文書番号通知レポートとして印刷することもできる。一方、送信側がファクシミリ装置であるときには、文書番号が記載された受付完了通知書が中継センターから当該ファクシミリ装置へ送られる。このようにして送信側へ通知された文書番号は、当該送信側からファックス受信をする受信側へ口頭などの適当な手段により伝えられる。受信側においては、マルチコピー機１０のファックスサービスを利用する際に、この文書番号を当該マルチコピー機１０に入力することで、ファックス受信をすることができる。このファックス受信により得られた情報は、普通紙に印刷される。
【００３６】
スキャンサービスにおいては、原稿の画像を電子化してＰＤＦファイルまたは所定形式の画像ファイルとしてＵＳＢメモリに記憶することができる。
【００３７】
行政サービスにおいては、住民票の写しや印鑑登録証明書などの所定の公的証明書を発行することができる。この行政サービスの提供を受ける際には、カード型記憶媒体としての不図示の住民基本台帳カードもしくは個人番号カードが必要になる。この行政サービスにより発行される公的証明書は、普通紙に印刷された状態で提供される。
【００３８】
このような様々なサービスの提供を実現するために、マルチコピー機１０は、ユーザインターフェース装置としてのアプリケーションボックス２０と、主装置としての複合機本体３０と、を備える。なお、以下の説明では、図１に示される如くマルチコピー機１０が使用可能に設置された状態を基準として、その上限方向を規定する。そして、図１における手前側をマルチコピー機１０の前面側として、当該マルチコピー機１０の前後方向を規定する。さらに、マルチコピー機１０の前方側から見て、当該マルチコピー機１０の左右方向を規定する。このマルチコピー機１０を操作するユーザは、常套的に当該マルチコピー機１０の前方側に立って操作を行う。
【００３９】
アプリケーションボックス２０は、タッチパネル２０４付きのディスプレイ２０２、外部記憶媒体装着部２０６、紙片用プリンタ２０８、赤外線通信部２１０、近距離通信部２１２、貨幣処理部２１４および写真用プリンタ２１６を備える。
【００４０】
タッチパネル２０４付きのディスプレイ２０２は、アプリケーションボックス２０の上部に配置される。ディスプレイ２０２は、矩形状の表示面を有する表示手段の一例であり、たとえば液晶ディスプレイ（ＬＣＤ）である。なお、ディスプレイ２０２は、液晶ディスプレイに限らず、有機エレクトロルミネッセンス（ＥＬ）ディスプレイなどであってもよい。また、ディスプレイ２０２は、後述する表示部２１８を構成する。
【００４１】
そして、ディスプレイ２０２の表示面に重なるように、矩形状のタッチパネル２０４が設けられる。このタッチパネル２０４は、ディスプレイ２０２の表示面にユーザ操作を受け付ける操作受付面を形成する操作受付手段の一例であり、たとえば静電容量方式のものである。なお、タッチパネル２０４は、静電容量方式に限らず、電磁誘導方式、抵抗膜方式、赤外線方式などの他の方式のものであってもよい。このタッチパネル２０４は、後述する操作部２２０を構成する。
【００４２】
外部記憶媒体装着部２０６は、前述のメディアが装着される記憶媒体装着手段の一例であり、詳しい図示は省略するが、メモリスロットおよびディスクドライブを含む。このうちのメモリスロットに、ＵＳＢメモリやＳＤメモリカードなどの半導体メモリタイプのメディアが装着される。一方、ディスクドライブに、ＣＤやＤＶＤなどのディスクタイプのメディアが装着される。そして、外部記憶媒体装着部２０６は、装着されたメディアとの間で第１通信処理としてのデータの読込み処理または書込み処理を行う。
【００４３】
紙片用プリンタ２０８は、たとえばサーマル（感熱式）プリンタまたはドットインパクトプリンタであり、レシートを発行する。具体的には、紙片用プリンタ２０８は、不図示のロール紙上に適宜の文字列や画像などを印刷して、この印刷済の紙片をレシートとして排紙部２０８ａから排出する。
【００４４】
赤外線通信部２１０は、不図示の赤外線発光素子および赤外線受光素子を含む赤外線通信回路を有しており、ＩｒＤＡ（Infrared Data Association）などの赤外線通信規格に則って、前述の携帯機器との間で赤外線通信処理を行う。
【００４５】
近距離通信部２１２は、非接触型ＩＣ（Integrated Circuit）カードである前述の住民基本台帳カードおよび個人番号カードを保持するとともに、これらのＩＣカードとの間で第２通信処理としての近距離無線通信を行う、記憶媒体保持手段の一例である。このため、詳しい図示は省略するが、近距離通信部２１２は、通信対象であるＩＣカードを保持（セット）するための少し窪んだ平面状の保持部を有する。この保持部の内部には、不図示の近距離通信用アンテナを含む近距離通信回路が設けられている。近距離通信部２１２は、この保持部に保持されたＩＣカードとの間で、ＩＳＯ／ＩＥＣ１８０９２（いわゆるＮＦＣ：Near Field Communication）などの近距離無線通信規格に則って、近距離無線通信処理を行い、詳しくは当該ＩＣカードからデータを読み込むデータ読込み処理を行う。
【００４６】
貨幣処理部２１４は、マルチコピー機１０の使用に必要な料金の支払を現金で受け付ける支払受付手段の一例であり、貨幣投入部２１４ａおよび硬貨返却口２１４ｂを有する。貨幣投入部２１４ａは、硬貨投入口、紙幣投入口および釣銭返却レバーを含み、たとえば近距離通信部２１２の下方に配置される。硬貨投入口は、不図示の硬貨の投入を受け付ける受付口であり、この硬貨投入口に投入された硬貨は、その種類（額面）ごとに分類されて、不図示の硬貨収容部に収容される。紙幣投入口は、不図示の紙幣の投入（挿入）を受け付ける受付口であり、この紙幣投入口に投入された紙幣は、その種類ごとに分類されて、不図示の紙幣収容部に収容される。これら硬貨収容部に収容された硬貨の種類および枚数と、紙幣収容部に収容された紙幣の種類および枚数と、に基づいて、投入金額（支払金額）が算出される。そして、マルチコピー機１０による何らかのサービスの提供が行われると、そのサービスの内容に応じた料金が投入金額から差し引かれ、この差引後の残高が算出される。この残高がある状態で、釣銭返却レバーが操作されると、当該残高に応じた釣銭が返却される。この釣銭に硬貨が含まれる場合、当該硬貨は、硬貨返却口２１４ｂから返却される。また、釣銭に紙幣が含まれる場合、当該紙幣は、紙幣投入口から返却される。なお、硬貨返却口２１４ｂは、たとえば貨幣投入部２１４ａの下方に配置される。この硬貨返却口２１４ｂには、当該硬貨返却口２１４ｂにおける硬貨の有無を検出するための後述する硬貨センサ２１４ｃが設けられている。また、貨幣投入部２１４ａに貨幣が投入された後、マルチコピー機１０によるサービスの提供が何ら行われずに、釣銭返却レバーが操作された場合は、投入された貨幣がそのまま返却される。
【００４７】
写真用プリンタ２１６は、たとえば昇華型プリンタまたはインクジェットプリンタであり、不図示の写真用紙に写真画像を印刷する。この写真用プリンタ２１６による印刷後の写真用紙、いわゆる写真は、排出部２１６ａに排出される。なお、写真用紙としては、たとえばＬ判サイズおよび２Ｌ判サイズの２種類が用意されている。また、排出部２１６ａには、当該排出部２１６ａにおける写真の有無を検出するための後述する写真センサ２１６ｂが設けられている。
【００４８】
ここで、図２を参照して、アプリケーションボックス２０の電気的な構成について説明すると、当該アプリケーションボックス２０は、制御部２２２を備える。この制御部２２２は、アプリケーションボックス２０の全体的な制御を司る、制御手段の一例である。このため、制御部２２２は、バス２２４を介して、前述の外部記憶媒体装着部２０６、紙片用プリンタ２０８、赤外線通信部２１０、近距離通信部２１２、貨幣処理部２１４および写真用プリンタ２１６が接続される。また前述したように、ディスプレイ２０２は、表示部２１８を構成し、タッチパネル２０４は、操作部２２０を構成するが、これらの表示部２１８および操作部２２０も同様に、バス２２４を介して、制御部２２２に接続される。さらに、制御部２２２には、バス２２４を介して、補助記憶部２２６、通信部２２８および音声処理部２３０も接続される。
【００４９】
制御部２２２は、制御実行手段としてのＣＰＵ（Central Processing Unit）２２２ａを有する。併せて、制御部２２２は、ＣＰＵ２２２ａが直接的にアクセス可能な主記憶手段としての主記憶部２２２ｂを有する。この主記憶部２２２ｂは、たとえば不図示のＲＯＭ（Read Only Memory）およびＲＡＭ（Random Access Memory）を含む。このうちのＲＯＭには、ＣＰＵ２２２ａの動作を制御するための制御プログラム（ファームウェア）が記憶されている。そして、ＲＡＭは、ＣＰＵ２２２ａが制御プログラムに基づく処理を実行する際の作業領域およびバッファ領域を構成する。
【００５０】
補助記憶部２２６は、不図示のハードディスクやフラッシュメモリなどの不揮発性メモリを含む補助記憶手段の一例である。この補助記憶部２２６には、ＣＰＵ２２２ａによる制御に従って、各種のデータが記憶される。
【００５１】
通信部２２８は、不図示のネットワークを介しての双方向の通信処理を担う通信手段の一例である。ここで言うネットワークは、たとえばインターネットであるが、これに限らず、ＶＰＮ（Virtual Private Network）や専用線などであってもよい。また、このネットワークは、有線方式のみならず、無線方式を含む。さらに、通信部２２８は、不図示の公衆電話回線を介しての双方向の通信処理をも担う。加えて、通信部２２８は、前述の携帯機器との間での無線ＬＡＮによる双方向の通信処理をも担う。この無線ＬＡＮの規格としては、たとえばＷｉ−Ｆｉ（登録商標）が採用される。併せて、通信部２２８は、複合機本体３０との間での、厳密には当該複合機本体３０側の後述する通信部３１８との間での、双方向の通信処理をも担う。
【００５２】
音声処理部２３０は、マルチコピー機１０の取扱説明に係る音声ガイダンスや後述する警告のための音声メッセージなどをスピーカ２３２から出力させるための音声処理手段の一例である。この音声処理部２３０は、スピーカ２３２と協働して、音声出力手段を構成する。なお、図１には示されていないが、スピーカ２３２は、たとえばアプリケーションボックス２０の筐体の側面に設けられる。
【００５３】
そして、表示部２１８に注目すると、この表示部２１８は、前述の如くディスプレイ２０２を有する。また、表示部２１８は、ディスプレイ２０２の他に、不図示の発光ダイオード（ＬＥＤ）などの適宜の発光素子を有する。
【００５４】
併せて、操作部２２０に注目すると、この操作部２２０は、前述の如くタッチパネル２０４を有する。また、操作部２２０は、タッチパネル２０４の他に、不図示の押しボタンスイッチなどの適宜のハードウェアスイッチを有する。
【００５５】
さらに、貨幣処理部２１４に注目すると、この貨幣処理部２１４は、前述の如く硬貨返却口２１２ｂにおける硬貨の有無を検出するための硬貨センサ２１４ｃを有する。この硬貨センサ２１２ｃとしては、たとえば重量センサ、または光センサが適宜に採用される。
【００５６】
加えて、写真用プリンタ２１６に注目すると、この写真用プリンタ２１６は、前述の如く排出部２１６ａにおける写真の有無を検出するための写真センサ２１６ｂを有する。この写真センサ２１６ｂとしては、たとえば光センサがある。また、写真センサ２１６ｂとして、厳密には当該写真センサ２１６ｂの代わりに、適当なリミットスイッチが採用されてもよい。
【００５７】
図１に戻って、複合機本体３０は、アプリケーションボックス２０の近傍に設置され、たとえば当該アプリケーションボックス２０の右横方に隣接して設けられる。この複合機本体３０は、画像読取部３０２、画像形成部３０４、給紙部３０６および排紙トレイ３０８を備える。
【００５８】
画像読取部３０２は、不図示のガラスなどの透明材によって形成された原稿台を備えており、複合機本体３０の上部に設けられる。また、原稿台の上方には、ヒンジ等を介して原稿押さえカバー３０２ａが開閉自在に取り付けられる。この画像読取部３０２は、原稿台にセット（載置）されや不図示の原稿の画像を読み取って当該画像に応じた２次元の画像データを出力する画像読取処理を担う、画像読取手段の一例である。このため、画像読取部３０２は、不図示の光源、複数のミラー、結像レンズ、ラインセンサなどを含む画像読取ユニットや、この画像読取ユニットを移動させる駆動機構などを備える。なお、画像読取部３０２は、不図示の自動原稿送り装置（Auto Document Feeder：ＡＤＦ）を備えることがある。また、画像読取部３０２は、原稿台に原稿がセットされているかどうかを検出するための後述する原稿センサ３０２ｂを有する。
【００５９】
画像形成部３０４は、画像読取部３０２の下方に設けられる。この画像形成部３０４は、給紙部３０６から搬送される用紙に電子写真方式により画像を形成する画像形成処理を担う、画像形成手段の一例である。このため、画像形成部３０４は、不図示の感光体ドラム、帯電装置、露光装置、現像装置、転写装置、定着装置などを備える。この画像形成部３０４によって画像が形成された後の用紙、言わば印刷物は、排紙トレイ３０８に排出される。なお、排紙トレイ３０８は、たとえば画像読取部３０２と画像形成部３０４との間に設けられる。この排紙トレイ３０８には、当該排紙トレイ３０８における印刷物の有無を検出するための後述する印刷物センサ３１０ａが設けられている。また、画像形成部３０４は、電子写真方式に限らず、たとえばインクジェット方式によって、画像形成処理を行うものであってもよい。
【００６０】
ここで、図３を参照して、複合機本体３０の電気的な構成について説明すると、この複合機本体３０もまた、制御部３１２を備える。制御部３１２は、複合機本体３０の全体的な制御を司る、当該複合機本体３０側の制御手段である。このため、制御部３１２には、バス３１４を介して、前述の画像読取部３０２、画像形成部３０４および給紙部３０６が接続される。また前述したように、排紙トレイ３０８には、印刷物センサ３１０ａが設けられているが、この印刷物センサ３１０ａは、印刷物検知部３１０を構成する。そして、この印刷物検知部３１０もまた、バス３１４を介して、制御部３１２に接続される。さらに、制御部３１２には、バス３１４を介して、補助記憶部３１６および通信部３１８も接続される。
【００６１】
制御部３１２は、複合機本体３０側の制御実行手段としてのＣＰＵ３１２ａを有する。併せて、制御部３１２は、ＣＰＵ３１２ａが直接的にアクセス可能な、複合機本体３０側の主記憶手段としての主記憶部３１２ｂを有する。この主記憶部３１２ｂは、たとえば不図示のＲＯＭおよびＲＡＭを含む。このうちのＲＯＭには、ＣＰＵ３１２ａの動作を制御するための、複合機本体３０用の制御プログラムが記憶される。そして、ＲＡＭは、ＣＰＵ３１２ａが当該制御プログラムに基づく処理を実行する際の作業領域およびバッファ領域を構成する。
【００６２】
補助記憶部３１６は、不図示のハードディスクやフラッシュメモリなどの不揮発性メモリを含む、複合機本体３０側の補助記憶手段の一例である。この補助記憶部３１６には、ＣＰＵ３１２ａによる制御に従って、各種のデータが記憶される。
【００６３】
通信部３１８は、アプリケーションボックス２０側の通信部２２８との間での双方向の通信処理を担う、複合機本体３０側の通信手段の一例である。この複合機本体３０側の通信部３１８とアプリケーションボックス２０側の通信部２２８との間で行われる通信処理は、有線方式により行われてもよいし、無線方式により行われてもよい。
【００６４】
そして、画像読取部３０２に注目すると、この画像読取部３０２は、前述の如く原稿センサ３０２ｂを有する。この原稿センサ３０２ｂとしては、たとえば光センサが採用され、あるいは前述のラインセンサなどを含む画像読取ユニットが利用（兼用）される。また、この原稿センサ３０２ｂは、原稿台に原稿がセットされているかどうかを検出することに加えて、当該原稿台にセットされた原稿のサイズを検知することもできる。さらに、画像読取部３０２は、前述の原稿押さえカバー３０２ａの開閉状態を検知する不図示の開閉センサを備えている場合があるが、原稿センサ３０２ｂの代わりに、この開閉センサが利用されてもよい。
【００６５】
加えて、印刷物検知部３１０に注目すると、この印刷物検知部３１０は、その構成要素として、前述の如く印刷物センサ３１０ａを有する。この印刷物センサ３１０ａとしては、たとえば光センサが採用される。これ以外に、印刷物センサ３１０ａとして、厳密には当該印刷物センサ３１０ａの代わりに、適当なリミットスイッチが採用されてもよい。
【００６６】
さて前述したように、本第１実施例に係るマルチコピー機１０は、不特定多数の者により使用されることを前提として、コンビニエンスストアやスーパーマーケットなどに設置される。このようなマルチコピー機１０においては、当該マルチコピー機１０により提供可能なサービスに応じて、様々な物品の置き忘れが生ずる虞がある。図４に、このマルチコピー機１０により提供可能なサービスと、それぞれのサービスにおいて置き忘れられる虞のある物品と、の関係を纏めた一覧を示す。
【００６７】
この図４に示されるように、たとえばコピーサービスにおいては、原稿、印刷物、写真およびおつり（釣銭）が、置き忘れられる虞がある。なお、念のため説明すると、ここで言う原稿とは、画像読取部３０２による画像読取処理に供される原稿である。そして、印刷物とは、画像形成部３０４による画像形成処理が施された後の、つまり当該画像形成処理により画像が形成された後の、用紙である。写真とは、写真用プリンタ２１６による印刷後の写真用紙である。おつりとは、ユーザ（マルチコピー機１０の使用者）に返却する必要のある金銭である。ただし、印刷物および写真については、いずれか一方のみが出力され、他方は出力されない場合がある（そのような場合が多い）。
【００６８】
ＰＤＦプリントサービスにおいては、メディア、印刷物およびおつりが、置き忘れられる虞がある。ここで言うメディアとは、外部記憶媒体装着部２０６に装着されるメディアであり、つまりＰＤＦプリントサービスに供されるＰＤＦファイルの供給源である。なお前述したように、ＰＤＦプリントサービスにおいては、メディアではなく、スマートフォンやタブレットなどの携帯機器が、当該ＰＤＦプリントサービスに供されるＰＤＦファイルの供給源となる場合がある。言い換えれば、ＰＤＦプリントサービスにおいては、メディアが用いられない場合がある。
【００６９】
写真プリントサービスにおいては、メディア、印刷物、写真およびおつりが、置き忘れられる虞がある。なお前述したように、この写真プリントサービスにおいても、メディアではなく、スマートフォンやタブレットなどの携帯機器が、当該写真プリントサービスに供される画像ファイルの供給源となる場合がある。すなわち、メディアが用いられない場合がある。また、印刷物および写真については、いずれか一方のみが出力される場合がある。
【００７０】
ネットワークプリントサービスにおいては、印刷物、写真およびおつりが、置き忘れられる虞がある。なお、このネットワークプリントサービスにおいても、印刷物および写真については、いずれか一方のみが出力される場合がある。
【００７１】
コンテンツプリントサービスにおいても、ネットワークプリントサービスと同様、印刷物、写真およびおつりが、置き忘れられる虞がある。そして、印刷物および写真については、いずれか一方のみが出力される場合がある。
【００７２】
ファックスサービスにおいては、ファックス送信をする場合と、ファックス受信をする場合とで、置き忘れられる虞のある物品が異なる。たとえば、ファックス送信の場合には、原稿、印刷物およびおつりが、置き忘れられる虞がある。なお、印刷物としては、前述の文書番号通知レポートを含む送信結果表が出力される場合がある。一方、ファックス受信の場合には、印刷物およびおつりが、置き忘れられる虞がある。
【００７３】
スキャンサービスにおいては、原稿、メディアおよびおつりが、置き忘れられる虞がある。
【００７４】
行政サービスにおいては、前述の住民基本台帳カードもしくは個人番号カード、印刷物（公的証明書）およびおつりが、置き忘れられる虞がある。
【００７５】
このようにマルチコピー機１０においては、置き忘れられる虞のある物品が複数ある。しかも、置き忘れが起こり得る箇所が点在しており、このことは、当該置き忘れを助長する。特に、前述の如く不特定多数の者により使用されることを前提として、コンビニエンスストアやスーパーマーケットなどに設置されるマルチコピー機１０においては、ユーザが当該マルチコピー機１０の操作に不慣れである場合が多い。このこともまた、置き忘れを助長する。加えて、行政サービスの提供を受ける際に必要な住民基本台帳カードもしくは個人番号カードについては、その取り忘れを防止することが、強く求められる。
【００７６】
そこで、本第１実施例に係るマルチコピー機１０では、これら複数の物品の取り忘れを防止するために、次のような工夫が凝らされている。
【００７７】
たとえば今、ディスプレイ２０２に操作画面としての不図示のホーム画面（「メニュー画面」または「ポータル画面」と称されることもある。）が表示されており、この状態で、コピーサービスの提供を受けるための操作が行われる、とする。すると、ホーム画面に代えて、別の操作画面としての図５に示されるようなコピーモード画面１００が、ディスプレイ２０２に表示される。
【００７８】
このコピーモード画面１００においては、たとえばその左側の領域に、コピーに関する諸条件を設定するための設定キー群１０２が配置される。この設定キー群１０２は、縦並びに配置された複数の設定キー１０４、１０４、…を含む。そして、コピーモード画面１００の略中央の領域に、コピーの部数を設定するためのテンキー群１０６が配置される。また、このテンキー群１０６の上方に、当該テンキー群１０６により設定されたコピーの部数を表示するためのフィールド１０８が配置される。さらに、コピーモード画面１００の右側の領域に、コピーを開始するためのスタートキー１１０が配置される。そして、このスタートキー１１０の上方に、「もどる」という文字列が記されたもどるキー１１２と、「終了」という文字列が記された終了キー１１４とが、横並びで配置される。なお、もどるキー１１２は、ディスプレイ２０２に改めてホーム画面を表示させるための、言わば当該ホーム画面にもどるための、操作キーである。そして、終了キー１１４は、コピーサービスの提供を受けるのを終了するための操作キーである。
【００７９】
加えて、コピーモード画面１００の下側の領域に、置き忘れ情報１２０が表示される。この置き忘れ情報１２０は、コピーサービスにおいて置き忘れられる虞のある物品に対応する複数の、たとえば４つの、横並びに配置された表示器１２２、１２４、１２６および１２８を含む。これらの表示器１２２、１２４、１２６および１２８のうちの「原稿」という文字列が記された左端の表示器１２２は、原稿に対応する。そして、「印刷物」という文字列が記された左側から２番目の表示器１２４は、印刷物に対応する。さらに、「写真」という文字列が記された左側から３番目の表示器１２６は、写真に対応する。そして、「おつり」という文字列が記された右端の表示器１２８は、おつりに対応する。併せて、これら各表示器１２２、１２４、１２６および１２８の近傍に、たとえば当該各表示器１２２、１２４、１２６および１２８の並びの上方に、置き忘れについての注意を喚起するための適当な文字列１３０が表示される。ここでは、この文字列１３０として、たとえば「※お忘れ物にご注意ください。」という文字列が表示される。これら各表示器１２２、１２４、１２６および１２８と文字列１３０とを含む置き忘れ情報１２０は、ユーザによる視認性の向上のために、適当な修飾を施され、たとえば矩形状の太い枠線１４０によって囲まれる。
【００８０】
この図５に示されるコピーモード画面１００が表示されている状態で、たとえば画像読取部３０２の原稿台に原稿がセットされると、このことが当該画像読取部３０２の原稿センサ３０２ｂによって検知される。併せて、原稿センサ３０２ｂは、前述の如く当該原稿のサイズを検知する。すると、コピーモード画面１００の態様が、詳しくは置き忘れ情報１２０の表示態様が、図６に示されるような態様に変化する。
【００８１】
すなわち、原稿に対応する表示器１２２の態様が変化し、たとえば当該表示器１２２に赤色などの目立つ色彩が付される。併せて、この原稿に対応する表示器１２２に記される文字列に、当該原稿のサイズを表す文字列が追加される。なお、図６においては、「原稿：Ａ４」という文字列が表示器１２２に記された例を示す。これは、画像読取部３０２の原稿台にＡ４版サイズの原稿がセットされていることを表す。
【００８２】
この図６に示されるコピーモード画面１００が表示されている状態で、たとえばコピーサービスの提供を受けるのに必要な料金が貨幣処理部２１４の貨幣投入部２１４ａに投入される、とする。この料金が投入されたことは、貨幣処理部２１４によって検知される。併せて、貨幣処理部２１４は、投入金額を算出する。さらに、たとえば４版サイズの普通紙へのコピーが行われるよう設定が成された上で、当該コピーが行われる、とする。これにより、原稿の画像が形成（印刷）されたＡ４版サイズの普通紙が印刷物として排紙トレイ３０８に排出される。この排紙トレイ３０８に印刷物が排出されたことは、印刷物センサ３１０ａ（印刷物検知部３１０）によって検知される。そして、このコピーが終了した時点で、貨幣処理部２１４における残高がゼロではない、つまりユーザに返却する必要のある金銭が存在する、とする。すると、コピーモード画面１００の態様が、詳しくは置き忘れ情報１２０の表示態様が、図７に示されるような態様に変化する。
【００８３】
すなわち、印刷物に対応する表示器１２４の態様が変化し、たとえば原稿に対応する表示器１２２と同様に、当該印刷物に対応する表示器１２４に赤色などの目立つ色彩が付される。併せて、この印刷物に対応する表示器１２４に記されている文字列に、当該印刷物のサイズを表す文字列が追加される。つまりは、「印刷物：Ａ４」という文字列が表示器１２４に付される。これと同様に、おつりに対応する表示器１２８についても、赤色などの目立つ色彩が付される。併せて、このおつりに対応する表示器１２４に記されている文字列に、おつりの金額を表す文字列が追加される。
【００８４】
ユーザは、このような置き忘れ情報１２０の表示態様から、Ａ４サイズの原稿が画像読取部３０２の原稿台にセットされたままの状態にあること、Ａ４サイズの印刷物が排紙トレイ３０８に残っていること、および、おつりがあることを、認識することができる。言い換えれば、ユーザは、原稿、印刷物およびおつりというコピーサービスの提供を受けたことに関係する複数の物品を、それぞれが存在する所定の箇所から回収する必要があることを、認識することができる。このことは、これら複数の物品の置き忘れを防止するのに大きく貢献する。
【００８５】
なお、図７に示されるコピーモード画面１００が表示されている状態で、貨幣投入部２１２ａの前述した釣銭返却レバーが操作された場合も、返却された釣銭が回収されるまでは、当該コピーモード画面１００の態様は変わらない。
【００８６】
ここで説明した例では、写真は出力（印刷）されないので、当該写真に対応する表示器１２６の態様は変わらない。ただし、写真が出力された場合には、当該写真に対応する表示器１２６についても、他の表示器１２２、１２４および１２８と同様に、その態様が変化する。併せて、この写真に対応する表示器１２６に記される文字列として、当該写真のサイズを表す文字列が付加される。この写真が出力されたこと、つまり当該写真が写真用プリンタ２１６の排出部２１６ａに排出されたことは、写真センサ２１６ｂによって検知される。そして、写真のサイズは、写真用紙の設定条件から判断される。
【００８７】
この図７に示されるコピーモード画面１００が表示されている状態で、たとえば原稿が画像読取部３０２の原稿台から回収されると、当該原稿に対応する表示器１２２の態様が、元の態様に戻り、つまり当該原稿が原稿台にセットされていないときの態様に戻る。これと同様に、たとえば印刷物が排紙トレイ３０８から回収されると、当該印刷物に対応する表示器１２４の態様が、元の態様に戻る。そして、おつりが回収されると、当該おつりに対応する表示器１２８の態様が、元の態様に戻る。したがって、ユーザは、これらの表示器１２２、１２４および１２８の態様から、当該表示器１２２、１２４および１２８に対応する原稿、印刷物およびおつりというそれぞれの物品が正しく回収されたかどうかを、認識することができる。
【００８８】
また、前述の如く写真が出力されたことに応じて、当該写真に対応する表示器１２６の態様が変わった場合には、この写真が写真用プリンタ２１６の排出部２１６ａから回収されると、当該表示器１２６の態様が、元の状態に戻る。したがって、ユーザは、この写真に対応する表示器１２６の態様から、当該写真という物品が正しく回収されたかどうかを、認識することができる。
【００８９】
なお、原稿が画像読取部３０２の原稿台から回収されたかどうかは、原稿センサ３０２ｂによる検知結果に基づいて判断される。また、印刷物が排紙トレイ３０８から回収されたかどうかは、印刷物センサ３１０ａによる検知結果に基づいて判断される。そして、おつりについては、たとえば当該おつりに硬貨が含まれる場合には、このおつりとしての硬貨が回収されたかどうかは、硬貨センサ２１４ｃによる検知結果に基づいて判断される。一方、おつりに紙幣が含まれる場合には、つまりおつりとしての紙幣が前述の如く貨幣投入部２１４ａの紙幣投入口から返却された場合には、このおつりとしての紙幣が回収されたかどうかは、当該紙幣投入口の状態（厳密には紙幣投入口に設けられた適宜のセンサによる検知結果）に基づいて判断される。さらに、写真が写真用プリンタ２１６の排出部２１６ａから回収されたかどうかは、写真センサ２１６ｂによる検知結果に基づいて判断される。
【００９０】
ここでは、コピーサービスの提供を受ける場合について説明したが、コピーサービス以外のサービスの提供を受ける場合も同様である。
【００９１】
図示は省略するが、たとえばＰＤＦプリントサービスの提供を受ける場合には、ＰＤＦプリントモード画面がディスプレイ２０２に表示される。このＰＤＦプリントモード画面においては、置き忘れられる虞のある物品としてのメディア、印刷物およびおつりに対応する３つの表示器を含む置き忘れ情報が表示される。そして、それぞれの物品が所定の箇所に存在するかどうかに応じた態様で、当該それぞれの物品に対応する表示器が表示される。特に、メディアが所定の箇所としての外部記憶媒体装着部２０６に装着されているときには、当該メディアに対応する表示器に、当該メディアの種類を表す文字列が記される。このＰＤＦプリントモード画面においても、コピーモード画面１００におけるのと同様のもどるキーと終了キーとが設けられる。
【００９２】
なお、外部記憶媒体装着部２０６は、これに何らかのメディアが装着されたときに、このメディアが装着されたことを検知するとともに、装着されたメディアの種類を検知するメディア検知回路を有する。このメディア検知回路による検知結果に基づいて、外部記憶媒体装着部２０６にメディアが装着されたかどうかの判断が成されるとともに、当該メディアが装着されたときには、その装着されたメディアの種類が判断される。
【００９３】
写真プリントサービスを受ける場合には、写真プリントモード画面がディスプレイ２０２に表示される。この写真プリントモード画面においては、置き忘れられる虞のある物品としてのメディア、印刷物、写真およびおつりに対応する４つの表示器を含む置き忘れ情報が表示される。そして、それぞれの物品が所定の箇所に存在するかどうかに応じた態様で、当該それぞれの物品に対応する表示器が表示される。この写真プリントモード画面においても、コピーモード画面１００におけるのと同様のもどるキーと終了キーとが設けられる。
【００９４】
ネットワークプリントサービスの提供を受ける場合には、ネットワークプリントモード画面がディスプレイ２０２に表示される。このネットワークプリントモード画面においては、置き忘れられる虞のある物品としての印刷物、写真およびおつりに対応する３つの表示器を含む置き忘れ情報が表示される。これらの表示器についても、それぞれに対応する物品が所定の箇所に存在するかどうかに応じた態様で表示される。このネットワークプリントモード画面においても、コピーモード画面１００におけるのと同様のもどるキーと終了キーとが設けられる。
【００９５】
コンテンツプリントサービスの提供を受ける場合には、コンテンツプリントモード画面がディスプレイ２０２に表示される。このコンテンツプリントモード画面においては、ネットワークプリントモード画面と同様、置き忘れられる虞のある物品としての印刷物、写真およびおつりに対応する３つの表示器を含む置き忘れ情報が表示される。そして、それぞれの物品が所定の箇所に存在するかどうかに応じた態様で、当該それぞれの物品に対応する表示器が表示される。このコンテンツプリントモード画面においても、コピーモード画面１００におけるのと同様のもどるキーと終了キーとが設けられる。
【００９６】
ファックスサービスの提供を受ける場合には、とりわけ、ファックス送信をする場合には、ファックス送信モード画面がディスプレイ２０２に表示される。このファックス送信モード画面においては、置き忘れられる虞のある物品としての原稿、印刷物およびおつりに対応する３つの表示器を含む置き忘れ情報が表示される。そして、それぞれの物品が所定の箇所に存在するかどうかに応じた態様で、当該それぞれの物品に対応する表示器が表示される。このファックス送信モード画面においても、コピーモード画面１００におけるのと同様のもどるキーと終了キーとが設けられる。
【００９７】
一方、ファックス受信をする場合には、ファックス受信モード画面がディスプレイ２０２に表示される。このファックス受信モード画面においては、置き忘れられる虞のある物品としての印刷物およびおつりに対応する２つの表示器を含む置き忘れ情報が表示される。これらの表示器についても、それぞれに対応する物品が所定の箇所に存在するかどうかに応じた態様で表示される。このファックス受信モード画面においても、コピーモード画面１００におけるのと同様のもどるキーと終了キーとが設けられる。
【００９８】
さらに、スキャンサービスの提供を受ける場合には、スキャンモード画面がディスプレイ２０２に表示される。このスキャンモード画面においては、置き忘れられる虞のある物品としての原稿、メディアおよびおつりに対応する３つの表示器を含む置き忘れ情報が表示される。そして、それぞれの物品が所定の箇所に存在するかどうかに応じた態様で、当該それぞれの物品に対応する表示器が表示される。このスキャンモード画面においても、コピーモード画面１００におけるのと同様のもどるキーと終了キーとが設けられる。
【００９９】
行政サービスの提供を受ける場合には、行政サービスモード画面がディスプレイ２０２に表示される。この行政サービスモード画面においては、置き忘れられる虞のある物品としての住民基本台帳カードもしくは個人番号カードというＩＣカード、印刷物およびおつりに対応する３つの表示器を含む置き忘れ情報が表示される。これらの表示器についても、それぞれに対応する物品が所定の箇所に存在するかどうかに応じた態様で表示される。特に、ＩＣカードである住民基本台帳カードもしくは個人番号カードが所定の箇所としての近距離通信部２１２の保持部に保持されているときには、当該ＩＣカードに対応する表示器に、当該ＩＣカードの種類（つまり住民基本台帳カードもしくは個人番号カード）を表す文字列が記される。この行政サービスモード画面においても、コピーモード画面１００におけるのと同様のもどるキーと終了キーとが設けられる。
【０１００】
なお、近距離通信部２１２は、その保持部に何らかのＩＣカードが保持されたときに、当該ＩＣカードとの間での前述の近距離無線通信処理を行うことが可能となる。したがって、この近距離無線通信処理が行われているかどうかに基づいて、近距離通信部２１２の保持部に何らかのＩＣカードが保持されているかどうかの判断が成される。そして、近距離通信部２１２の保持部に何らかのＩＣカードが保持された上で、このＩＣカードとの間での近距離無線通信処理が行われることにより、当該ＩＣカードの種類が判断される。
【０１０１】
ここで、図８に、アプリケーションボックス２０の主記憶部２２２ｂのＲＡＭ内の構成を概念的に表すメモリマップ４００を示す。
【０１０２】
このメモリマップ４００に示されるように、ＲＡＭは、プログラム記憶領域４１０およびデータ記憶領域４５０を有する。このうちのプログラム記憶領域４１０には、前述の制御プログラムが記憶されている。具体的には、制御プログラムは、表示制御プログラム４１２、操作検出プログラム４１４、外部記憶媒体制御プログラム４１６、赤外線通信制御プログラム４１８、近距離通信制御プログラム４２０、通信制御プログラム４２２および貨幣処理制御プログラム４２４を含む。さらに、制御プログラムは、写真用プリンタ制御プログラム４２６、音声処理制御プログラム４２８、複合機制御プログラム４３０、置き忘れ検出プログラム４３２、置き忘れ管理プログラム４３４などを含む。
【０１０３】
表示制御プログラム４１２は、ディスプレイ２０２の表示面に前述のホーム画面やコピーモード画面１００などを含む各種の画面を表示させるのに必要な表示画面データを生成するためのプログラムである。操作検出プログラム４１４は、ユーザによるタッチパネル２０４への操作状態を検出するためのプログラムである。外部記憶媒体制御プログラム４１６は、外部記憶媒体装着部２０６を制御するためのプログラムである。赤外線通信制御プログラム４１８は、赤外線通信部２１０を制御するためのプログラムである。近距離通信制御プログラム４２０は、近距離通信部２１２を制御するためのプログラムである。通信制御プログラム４２２は、通信部２２８を制御するためのプログラムである。貨幣処理制御プログラム４２４は、貨幣処理部２１４を制御するためのプログラムである。
【０１０４】
さらに、写真用プリンタ制御プログラム４２６は、写真用プリンタ２１６を制御するためのプログラムである。音声処理制御プログラム４２８は、音声処理部２３０を制御するためのプログラムである。複合機制御プログラム４３０は、複合機本体３０を制御するためのプログラムである。この複合機本体３０の制御は、当該複合機本体３０側のＣＰＵ３１２ａを介して行われる。
【０１０５】
そして、置き忘れ検出プログラム４３２は、図４に示された置き忘れられる虞のある物品のそれぞれが所定の箇所に存在するかどうかを後述する如く検出するためのプログラムである。置き忘れ管理プログラム４３４は、ＣＰＵ２２２ａに後述する置き忘れ管理処理を実行させるためのプログラムである。
【０１０６】
一方、データ記憶領域４５０には、各種のデータが記憶されている。この各種のデータとしては、表示画像生成データ４５２、操作データ４５４、内部送受信データ４５６、外部送受信データ４５８、複合機処理データ４６０などがある。さらに、当該各種のデータとしては、置き忘れ検出レジスタ４６２および一時記憶レジスタ４６４などの各種のレジスタがあり、厳密にはこれらのレジスタに記憶されるデータがある。
【０１０７】
表示画像生成データ４５２は、前述の表示制御プログラム４１２に基づく表示画面データの生成に用いられるポリゴンデータやテクスチャデータなどのデータである。操作データ４５４は、タッチパネル２０４に対する操作状態を表すデータであり、詳しくは当該タッチパネル２０４に対するユーザのタッチ位置（座標）を表す時系列のデータである。内部送受信データ４５６は、バス２２４を介して制御部２２２と当該制御部２２２以外の各構成要素との間で送受信されるデータである。外部送受信データ４５８は、通信部２２８を介して不図示の外部装置との間で送受信されるデータである。複合機処理データ４６０は、複合機本体３０との間で送受信されるデータであり、つまり当該複合機本体３０による処理に供されるデータおよび当該複合機本体３０により処理された後のデータである。この複合機処理データ４６０は、外部送受信データ４５８の一部であるものとみなすことができるが、ここでは、当該外部送受信データ４５８とは別のデータとして取り扱われる。
【０１０８】
さらに、置き忘れ検出レジスタ４６２は、置き忘れられる虞のある物品のそれぞれが所定の箇所に存在するかどうかの状態を前述の置き忘れ検出プログラム４３２に基づいて検出する際に用いられるレジスタである。この置き忘れ検出レジスタ４６２は、図９に示されるように、置き忘れられる虞のある物品に対応する複数の、たとえば６つの、記憶領域４６２ａ、４６２ａ、…を有する。すなわち、置き忘れ検出レジスタ４６２は、原稿、メディア、ＩＣカード、印刷物、写真およびおつりという６つの物品に対応する６つの記憶領域４６２ａ、４６２ａ、…を有する。それぞれの記憶領域４６２ａには、後述する如く適宜のデータが記憶される。
【０１０９】
図８に戻って、一時記憶レジスタ４６４は、前述の置き忘れ管理プログラム４３４に基づいて後述する置き忘れ管理処理が実行される際に、置き忘れ検出レジスタ４６２の記憶内容が適宜のタイミングでコピーされるレジスタである。それゆえ、図示は省略するが、この一時記憶レジスタ４６４は、置き忘れ検出レジスタ４６２と同じ構成を持つ。
【０１１０】
前述したように、本第１実施例に係るマルチコピー機１０によれば、当該マルチコピー機１０が提供可能な複数のサービスのそれぞれが提供される際に、置き忘れられる虞のある複数の物品に関する置き忘れ情報（１２０など）が、ディスプレイ２０２に表示される。このことは、これら複数の物品の置き忘れを防止するのに大きく貢献する。このような言わば置き忘れ防止機能を実現するために、アプリケーションボックス２０側のＣＰＵ２２２ａは、前述の置き忘れ検出プログラム４３２に従って、複数の物品のそれぞれが所定の箇所に存在するかどうかを検出するための物品検出処理を実行する。
【０１１１】
この物品検出処理においては、ＣＰＵ２２２ａは、複数の物品としての原稿、メディア、ＩＣカード、印刷物、写真およびおつりのそれぞれが、所定の箇所に存在するかどうかを、常時的に検出する。ここでたとえば、或る物品が所定の箇所に存在しない場合、ＣＰＵ２２２ａは、前述の置き忘れ検出レジスタ４６２における当該物品に対応する記憶領域４６２ａに、ゼロ（０）というデータを記憶する。一方、或る物品が所定の箇所に存在する場合には、ＣＰＵ２２２ａは、置き忘れ検出レジスタ４６２における当該物品に対応する記憶領域４６２ａに、当該物品の属性を表す属性データを記憶する。
【０１１２】
具体的にはたとえば、原稿については、ＣＰＵ２２２ａは、原稿センサ３０２ｂによる検知結果に基づいて、当該原稿が所定の箇所としての画像読取部３０２の原稿台にセットされているかどうかを、検出する。そして、原稿が原稿台にセットされている場合には、ＣＰＵ２２２ａは、置き忘れ検出レジスタ４６２における原稿に対応する記憶領域４６２ａに、当該原稿の属性としての当該原稿のサイズを表す属性データを記憶する。なお前述したように、原稿のサイズは、原稿センサ３０２ｂによって検知される。また、原稿が原稿台にセットされていな場合には、前述の如く置き忘れ検出レジスタ４６２における原稿に対応する記憶領域４６２ａに、ゼロという情報が記憶される。
【０１１３】
メディアについては、ＣＰＵ２２２ａは、外部記憶媒体装着部２０６が有する前述のメディア検知回路による検知結果に基づいて、当該メディアが所定の箇所としての当該外部記憶媒体装着部２０６に装着されているかどうかを、検出する。そして、メディアが外部記憶媒体装着部２０６に装着されている場合には、ＣＰＵ２２２ａは、置き忘れ検出レジスタ４６２におけるメディアに対応する記憶領域４６２ａに、当該メディアの属性としての当該メディアの種類を表す属性データを記憶する。なお前述したように、メディアの種類は、外部記憶媒体装着部２０６のメディア検知回路によって検知される。
【０１１４】
住民基本台帳カードもしくは個人番号カードというＩＣカードについては、ＣＰＵ２２２ａは、近距離通信部２１２による近距離無線通信処理が行われているかどうかに基づいて、当該ＩＣカードが所定の箇所としての当該近距離通信部２１２の保持部に保持されているかどうかを、検出する。そして、ＩＣカードが近距離通信部２１２の保持部に保持されている場合には、ＣＰＵ２２２ａは、置き忘れ検出レジスタ４６２におけるＩＣカードに対応する記憶領域４６２ａに、当該ＩＣカードの属性としての当該ＩＣカードの種類を表す属性データを記憶する。なお前述したように、ＩＣカードの種類は、近距離通信部２１２による近距離無線通信処理が行われることにより判断される。
【０１１５】
印刷物については、ＣＰＵ２２２ａは、印刷物センサ３１０ａによる検知結果に基づいて、当該印刷物が所定の箇所としての排紙トレイ３０８に存在するかどうかを、検出する。そして、印刷物が排紙トレイ３０８に存在する場合には、ＣＰＵ２２２ａは、置き忘れ検出レジスタ４６２における印刷物に対応する記憶領域４６２ａに、当該印刷物の属性としての当該印刷物のサイズを表す属性データを記憶する。なお、印刷物のサイズは、当該印刷物となる用紙の設定条件に基づく。
【０１１６】
写真については、ＣＰＵ２２２ａは、写真センサ２１６ｂによる検知結果に基づいて、当該写真が所定の箇所としての写真用プリンタ２１６の排出部２１６ａに存在するかどうかを、検出する。そして、写真が写真用プリンタ２１６の排出部２１６ａに存在する場合には、ＣＰＵ２２２ａは、置き忘れ検出レジスタ４６２における写真に対応する記憶領域４６２ａに、当該写真の属性としての当該写真のサイズを表す属性データを記憶する。なお、写真のサイズは、当該写真となる写真用紙の設定条件に基づく、
おつりについては、ＣＰＵ２２２ａは、貨幣処理部２１４における前述の残高、硬貨センサ２１４ｃによる検知結果、および、貨幣投入部２１４ａの紙幣投入口の状態に基づいて、当該おつりがあるかどうかを、検出する。そして、おつりがある場合には、ＣＰＵ２２２ａは、置き忘れ検出レジスタ４６２における原稿に対応する記憶領域４６２ａに、当該おつりの属性としての当該おつりの金額を表す属性データを記憶する。なお、おつりの金額は、貨幣処理部２１４による残高に基づく。
【０１１７】
このような物品検出処理を実行するＣＰＵ２２２ａは、本発明に係る検出手段の一例である。そして、ＣＰＵ２２２ａは、この物品検出処理を実行しつつ、さらに、前述の置き忘れ管理プログラム４３４に従って、置き忘れ管理処理を実行する。この置き忘れ管理処理の流れを、図１０および図１１に示す。
【０１１８】
なお、ＣＰＵ２２２ａは、ディスプレイ２０２に前述のホーム画面が表示されている状態で、コピーサービスなどの何らかのサービスの提供を受けるための操作が行われたときに、置き忘れ管理処理を実行する。この置き忘れ管理処理は、コピーモード画面１００などの各サービスに対応するモード画面のうちの置き忘れ情報（１２０など）の表示（内容）を管理するための処理である。各モード画面をディスプレイ２０２に表示するための処理は、この置き忘れ管理処理とは別に、前述の表示制御プログラム４１２に従って実行される。また、置き忘れ管理プログラム４３４には、図４に示される関係、つまりマルチコピー機１０により提供可能なサービスと、それぞれのサービスにおいて置き忘れられる虞のある物品との関係を、表すデータ（テーブル）が、組み込まれている。すなわち、ＣＰＵ２２２ａは、マルチコピー機１０により提供可能なサービスと、それぞれのサービスにおいて置き忘れられる虞のある物品との関係を認識した上で、置き忘れ管理処理を実行する。
【０１１９】
この置き忘れ管理処理によれば、図１０に示されるように、ＣＰＵ２２２ａは、まず、ステップＳ１において、一時記憶レジスタ４６４を初期化し、詳しくは当該一時記憶レジスタ４６４の（置き忘れ検出レジスタ４６２の各記憶領域４６２ａ、４６２ａ、…と同様の）各記憶領域にゼロというデータを記憶する。そして、ＣＰＵ２２２ａは、処理をステップＳ３へ進める。
【０１２０】
ステップＳ３において、ＣＰＵ２２２ａは、置き忘れ検出レジスタ４６２の記憶内容を参照し、つまり前述の物品検出処理による検出結果を参照する。そして、ＣＰＵ２２２ａは、処理をステップＳ５へ進めて、このステップＳ５において、置き忘れ検出レジスタ４６２の記憶内容と一時記憶レジスタ４６４の記憶内容とを比較する。その上で、ＣＰＵ２２２ａは、処理をステップＳ７へ進める。
【０１２１】
ステップＳ７において、ＣＰＵ２２２ａは、前述のステップＳ５における比較の結果、置き忘れ検出レジスタ４６２の記憶内容と一時記憶レジスタ４６４の記憶内容とが相違するかどうか、つまり置き忘れられる虞のある物品の状態が変化しているかどうかを、判定する。ここでたとえば、置き忘れ検出レジスタ４６２の記憶内容と一時記憶レジスタ４６４の記憶内容とが相違する場合、つまり置き忘れられる虞のある物品の状態が変化している場合（Ｓ７：ＹＥＳ）、ＣＰＵ２２２ａは、処理をステップＳ９へ進める。一方、置き忘れ検出レジスタ４６２の記憶内容と一時記憶レジスタ４６４の記憶内容とが相違していない場合、つまり置き忘れられる虞のある物品の状態に変化がない場合は（Ｓ７：ＮＯ）、ＣＰＵ２２２ａは、処理を後述するステップＳ１３へ進める。
【０１２２】
ステップＳ９において、ＣＰＵ２２２ａは、前述のステップＳ３における置き忘れ検出レジスタ４６２の参照結果に基づいて、ディスプレイ２０２に表示されている（モード画面の）置き忘れ情報の表示を更新する。そして、ＣＰＵ２２２ａは、処理をステップＳ１１へ進める。
【０１２３】
ステップＳ１１において、ＣＰＵ２２２ａは、置き忘れ検出レジスタ４６２の記憶内容を一時記憶レジスタ４６４へコピーする。そして、ＣＰＵ２２２ａは、処理をステップＳ１３へ進める。
【０１２４】
ステップＳ１３において、ＣＰＵ２２２ａは、置き忘れられる虞のあるそれぞれの物品を回収するタイミングが到来したかどうかを判定する。具体的には、ＣＰＵ２２２ａは、現在提供中のサービスに係るジョブが完了したかどうか、または、モード画面における終了キー（１１４など））が押下（タップ）されたかどうかを、判定する。ここでたとえば、それぞれの物品の回収タイミングが到来した場合、つまりジョブが完了したか、または、終了キーが押下された場合（Ｓ１３：ＹＥＳ）、ＣＰＵ２２２ａは、処理をステップＳ１５へ進める。一方、それぞれの物品の回収タイミングがまだ到来していない場合、つまりジョブがまだ完了しておらず、また、終了キーが押下されていない場合は（Ｓ１３：ＮＯ）、ＣＰＵ２２２ａは、処理をステップＳ３へ戻す。
【０１２５】
ステップＳ１５において、ＣＰＵ２２２ａは、置き忘れられる虞のある物品を回収する期限までの時間をカウントするためのタイマをリセットした上でスタートさせる。ここで言うタイマは、ＣＰＵ２２２ａによって構成されるソフトウェアタイマである。そして、ＣＰＵ２２２ａは、処理をステップＳ１７へ進める。
【０１２６】
ステップＳ１７において、ＣＰＵ２２２ａは、改めて置き忘れ検出レジスタ４６２の記憶内容を参照する。そして、ＣＰＵ２２２ａは、処理をステップＳ１９へ進めて、このステップＳ１９において、置き忘れ検出レジスタ４６２の記憶内容と一時記憶レジスタ４６４の記憶内容とを比較する。その上で、ＣＰＵ２２２ａは、処理をステップＳ２１へ進める。
【０１２７】
ステップＳ２１において、ＣＰＵ２２２ａは、前述のステップＳ１９における比較の結果、置き忘れ検出レジスタ４６２の記憶内容と一時記憶レジスタ４６４の記憶内容とが相違するかどうか、つまり置き忘れられる虞のある物品の状態が変化しているかどうかを、判定する。ここでたとえば、置き忘れ検出レジスタ４６２の記憶内容と一時記憶レジスタ４６４の記憶内容とが相違する場合、つまり置き忘れられる虞のある物品の状態が変化している場合（Ｓ２１：ＹＥＳ）、ＣＰＵ２２２ａは、処理をステップＳ２３へ進める。一方、置き忘れ検出レジスタ４６２の記憶内容と一時記憶レジスタ４６４の記憶内容とが相違していない場合、つまり置き忘れられる虞のある物品の状態に変化がない場合は（Ｓ２１：ＮＯ）、ＣＰＵ２２２ａは、処理を後述するステップＳ２９へ進める。
【０１２８】
ステップＳ２３において、ＣＰＵ２２２ａは、前述のステップＳ１７で改めて参照した置き忘れ検出レジスタ４６２の記憶内容に基づいて、ディスプレイ２０２に表示されている（モード画面の）置き忘れ情報の表示を更新する。そして、ＣＰＵ２２２ａは、処理をステップＳ２５へ進める。
【０１２９】
ステップＳ２５において、ＣＰＵ２２２ａは、置き忘れ検出レジスタ４６２の記憶内容を一時記憶レジスタ４６４へコピーする。そして、ＣＰＵ２２２ａは、処理をステップＳ２７へ進める。
【０１３０】
ステップＳ２７において、ＣＰＵ２２２ａは、改めて前述のタイマをリセットした上でスタートさせる。そして、ＣＰＵ２２２ａは、処理をステップＳ２９へ進める。
【０１３１】
ステップＳ２９において、ＣＰＵ２２２ａは、前述のステップＳ１７における置き忘れ検出レジスタ４６２の参照結果に基づいて、置き忘れがあるかどうかを判定し、つまり置き忘れられる虞のある物品のうちまだ回収されていない物品があるかどうかを判定する。ここでたとえば、置き忘れがない場合、つまり置き忘れられる虞のある物品の全てが回収済である場合（Ｓ２９：ＮＯ）、ＣＰＵ２２２ａは、この一連の置き忘れ管理処理を終了する。一方、置き忘れがある場合、つまり未回収の物品がある場合は（Ｓ２９：ＹＥＳ）、ＣＰＵ２２２ａは、処理をステップＳ３１へ進める。
【０１３２】
ステップＳ３１において、ＣＰＵ２２２ａは、前述のタイマのカウント時間がタイムアップしたかどうかを、つまり置き忘れられる虞のある物品を回収する期限が到来したかどうかを、判定する。ここでたとえば、前述のタイマのカウント時間がタイムアップしていない場合、つまり置き忘れられる虞のある物品を回収する期限がまだ到来していない場合（Ｓ３１：ＮＯ）、ＣＰＵ２２２ａは、処理をステップＳ１７へ戻す。一方、前述のタイマのカウント時間がタイムアップした場合は、つまり置き忘れられる虞のある物品を回収する期限が到来した場合は（Ｓ３１：ＹＥＳ）、ＣＰＵ２２２ａは、処理をステップＳ３３へ進める。なお、ここで言うタイマのカウント時間がタイムアップするまでの時間としては、たとえば数十秒間〜１分間程度が適当である。
【０１３３】
ステップＳ３３において、ＣＰＵ２２２ａは、置き忘れ検出レジスタ４６２の記憶内容に基づいて、置き忘れがあることを表す警告を出力する。具体的にはたとえば、ＣＰＵ２２２ａは、適当な文字や絵図などを用いて、どのような物品が置き忘れられているのかを表す警告メッセージをディスプレイ２０２に表示する。またたとえば、ＣＰＵ２２２ａは、音声処理部２３０を制御して、警告のための音声メッセージをスピーカ２３２から出力させる。その上で、ＣＰＵ２２２ａは、一連の置き忘れ管理処理を終了する。なお、このステップＳ３３で出力される警告は、たとえば置き忘れられた物品が回収されたり、あるいはタッチパネル２０４に対して所定の操作が成されたりするなどの、所定の条件が満足されたときに停止される。また、このステップＳ３３で出力される警告は、一定の時間が経過した時点で、停止されてもよい。さらに、スピーカ２３２からの音声メッセージの出力については、任意にオン／オフ可能とされてもよい。
【０１３４】
このように本第１実施例に係るマルチコピー機１０によれば、当該マルチコピー機１０が提供可能な複数のサービスのそれぞれが提供される際に、置き忘れられる虞のある複数の物品に関する置き忘れ情報（１２０など）が、ディスプレイ２０２に表示される。このことは、これら複数の物品の置き忘れを防止するのに大きく貢献する。しかも、ディスプレイ２０２の表示面は、ユーザ操作を受け付ける操作受付面としても機能するので、このような操作受付面というユーザが常に注目する部分に置き忘れ情報が表示されることは、物品の置き忘れを防止するのにより一層大きく貢献する。
【０１３５】
なお、図１０および図１１に示される流れに従って置き忘れ管理処理を実行するＣＰＵ２２２ａは、とりわけステップＳ９およびステップＳ２３において置き忘れ情報の表示を更新する当該ＣＰＵ２２２ａは、本発明に係る表示制御手段の一例である。また、ステップＳ３３において出力される警告は、前述の所定の条件が満足されたときに停止されるのではなく、一定期間にわたって出力された後、停止されてもよい。
【０１３６】
［第２実施例］
次に、本発明の第２実施例について説明する。
【０１３７】
本第２実施例においては、前述の第１実施例における図５〜図７に示されるコピーモード画面１００に代えて、図１２および図１３に示されるようなコピーモード画面１００ａが、ディスプレイ２０２に表示される。具体的には、本第２実施例においては、マルチコピー機１０により提供可能なサービスのうちのコピーサービスが提供される場合に、図１２および図１３に示されるようなコピーモード画面１００ａが、ディスプレイ２０２に表示される。また、本第２実施例においては、コピーサービス以外のサービスが提供される場合にも、図１２および図１３に示されるコピーモード画面１００ａに倣った態様の適宜のモード画面が、ディスプレイ２０２に表示される。本第２実施例におけるこれ以外の部分は、第１実施例と同様であるので、当該第１実施例と同様の部分についての説明は省略する。
【０１３８】
図１２に示されるコピーモード画面１００ａは、図７に示されるコピーモード画面１００に対応する。すなわち、本第２実施例においても、マルチコピー機１０によるコピーサービスの提供を受ける場合には、ディスプレイ２０２に前述のホーム画面が表示されている状態で、当該コピーサービスの提供を受けるための操作が成される。ここでたとえば、画像読取部３０２の原稿台にＡ４版サイズの原稿がセットされるとともに、コピーサービスの提供を受けるのに必要な料金が貨幣処理部２１４の貨幣投入部２１４ａに投入される、とする。そして、Ａ４版サイズの普通紙へのコピーが行われるように設定された上で、当該コピーが行われる、とする。さらに、このコピーが終了した時点で、貨幣処理部２１４における前述の残高がゼロではない、とする。すると、図１２に示されるようなコピーモード画面１００ａが、ディスプレイ２０２に表示される。
【０１３９】
この図１２に示されるコピーモード画面１００ａによれば、図７に示されるコピーモード画面１００におけるのと同様の設定キー群１０２が、当該コピーモード画面１００ａの左側の領域に配置される。そして、この設定キー群１０２の下方の領域に、スタートキー１１０が配置される。また、コピーモード画面１００ａの右側上部の領域に、もどるキー１１２および終了キー１１４が配置される。そして、これらもどるキー１１２および終了キー１１４の下方の領域に、テンキー群１０６およびフィールド１０８が配置される。そして、コピーモード画面１００の中央の領域に、置き忘れ情報１２０ａが表示される。
【０１４０】
この置き忘れ情報１２０ａは、マルチコピー機１０の外観を模式的に表す模擬図５００を含む。そして、この模擬図５００の周囲の適当な位置に、置き忘れられる虞のある複数の物品のうちまだ未回収の物品に対応するボックス形のインデックス５０２、５０４および５０６が表示される。
【０１４１】
ここでたとえば、このコピーモード画面１００における下部に表示されたインデックス５０４に注目する。このインデックス５０４は、適宜のアイコン５０４ａと、このアイコン５０４ａの下方に表示された文字列５０４ｂと、これらアイコン５０４ａおよび文字列５０４ｂを一括的に囲む矩形状の枠線５０４ｃと、を含む。併せて、このインデックス５０４には、枠線５０４ｃの一辺から模擬図５００に向かって延伸する矢印５０４ｄが付されている。他のインデックス５０２および５０６も同様に、それぞれ、アイコンと文字列と枠線とを含む。併せて、これら他のインデックス５０２および５０６には、それぞれ、矢印が付されている。なお、図１２（および図１３）においては、その見易さを考慮して、これら他のインデックス５０２および５０６の各要素への詳細な符号の記載を省略する。
【０１４２】
各インデックス５０２、５０４および５０６のうちの「原稿：Ａ４」という文字列を含むインデックス５０２は、原稿に対応する。この原稿に対応するインデックス５０２は、当該原稿の外観を模式的に表すアイコンを含む。併せて、このインデックス５０２は、アイコンおよび文字列を一括的に囲む矩形状の枠線を含む。そして、このインデックス５０２は、模擬図５００における原稿についての所定の箇所である画像読取部３０２の原稿台に対応する部分の近傍に表示される。さらに、このインデックス５０２には、枠線から模擬図５００に向かって延伸する矢印が付されている。この矢印は、模擬図５００における画像読取部３０２の原稿台に対応する部分を指し示す。すなわち、この原稿に対応するインデックス５０２は、模擬図５００における画像読取部３０２の原稿台に対応する部分と、つまり当該原稿の回収箇所と、関連付けられた状態で表示される。このような態様のインデックス５０２は、画像読取部３０２の原稿台にＡ４版の原稿がセットされていることを表す。言い換えれば、画像読取部３０２の原稿台にＡ４版の原稿がセットされていることが、インデックス５０２によって図示される。
【０１４３】
そして、「印刷物：Ａ４」という文字列５０４ｂが記されたインデックス５０４は、印刷物に対応する。この印刷物に対応するインデックス５０４は、当該印刷物の外観を模式的に表すアイコン５０４ａを含む。このアイコン５０４ａおよび文字列５０４ｂは、前述の如く矩形状の枠線５０４ｃによって一括的に囲まれている。そして、このインデックス５０４は、模擬図５００における印刷物についての所定の箇所である排紙トレイ３０８に対応する部分の近傍に表示される。併せて、このインデックス５０４には、前述の如く矢印５０４ｄが付されている。この矢印５０４ｄは、模擬図５００における排紙トレイ３０８に対応する部分を指し示す。すなわち、この印刷物に対応するインデックス５０４は、模擬図５００における排紙トレイ３０８に対応する部分と、つまり当該印刷物の回収箇所と、関連付けられた状態で表示される。このような態様のインデックス５０４は、排紙トレイ３０８にＡ４版の印刷物が残っていることを表す。言い換えれば、排紙トレイ３０８にＡ４版の印刷物が残っていることが、インデックス５０４によって図示される。
【０１４４】
さらに、「おつり：〇〇円」という文字列が記されたインデックス５０６は、おつりに対応する。このおつりに対応するインデックス５０６は、金銭を模式的に表すアイコンを含む。併せて、このインデックス５０２は、アイコンおよび文字列を一括的に囲む矩形状の枠線を含む。そして、このインデックス５０６は、模擬図５００におけるおつりについての所定の箇所である貨幣処理部２１４（とりわけ硬貨返却口２１４ｂ）に対応する部分の近傍に表示される。さらに、このインデックス５０６には、枠線から模擬図５００に向かって延伸する矢印が付されている。この矢印は、模擬図５００における貨幣処理部２１４に対応する部分を指し示す。すなわち、このおつりに対応するインデックス５０６は、模擬図５００における貨幣処理部２１４に対応する部分と、つまり当該おつりの回収箇所と、関連付けられた状態で表示される。このような態様のインデックス５０６は、おつりがあることを表す。言い換えれば、おつりがあることが、インデックス５０６によって図示される。なお、詳しい図示は省略するが、このおつりに対応するインデックス５０６に含まれる「おつり：〇〇円」という文字列のうちの「〇〇」という部分には、おつりの具体的な金額を表す数値が表示される。
【０１４５】
加えて、コピーモード画面１００における適宜の位置に、たとえば模擬図５００の上方に、置き忘れについての注意を喚起するための適当な文字列５１０が表示される。ここでは、この文字列５１０として、たとえば第１実施例におけるのと同様の「※お忘れ物にご注意ください。」という文字列が表示される。
【０１４６】
ユーザは、このようなインデックス５０２、５０４および５０６を含む置き忘れ情報１２０ａの内容から、Ａ４サイズの原稿が画像読取部３０２の原稿台にセットされたままの状態にあること、および、Ａ４サイズの印刷物が排紙トレイ３０８に残っていること、さらに、おつりがあることを、直観的に認識することができる。このことは、各物品の置き忘れを防止するのに大きく貢献する。
【０１４７】
そして、この図１２に示されるコピーモード画面１００ａが表示されている状態で、たとえば原稿が画像読取部３０２の原稿台から回収されると、当該原稿に対応するインデックス５０２の表示が消える。この結果、コピーモード画面１００は、図１３に示されるような態様になる。また、この図１３に示されるコピーモード画面１００ａが表示されている状態で、たとえば印刷物が排紙トレイ３０８から回収されると、図示は省略するが、当該印刷物に対応するインデックス５０４の表示が消える。これと同様に、おつりが回収されると、図示は省略するが、当該おつりに対応するインデックス５０６の表示が消える。このように置き忘れられる虞のある全ての物品が回収されると、置き忘れ情報１２０ａのうちの模擬図５００と注意喚起のための文字列５１０とのみが表示される状態となる。
【０１４８】
なお、ここで説明した例では、写真は出力されないので、当該写真に対応するインデックスは表示されない。ただし、写真が出力された場合には、図示は省略するが、当該写真に対応するインデックスが表示される。この写真に対応するインデックスは、前述の各インデックス５０２、５０４および５０６と同様、アイコンと文字列と枠線とを含む。このうちのアイコンは、写真の外観を模式的に表す。そして、文字列は、写真のサイズを表す文字列を含む。さらに、枠線は、これらアイコンおよび文字列を一括的に囲む。この写真に対応するインデックスは、模擬図５００における当該写真についての所定の箇所である写真用プリンタ２１６の排出部２１６ａに対応する部分の近傍に表示される。併せて、この写真に対応するインデックスには、模擬図５００における写真用プリンタ２１６の排出部２１６ａに対応する部分を指し示す矢印が付される。すなわち、この写真に対応するインデックスは、模擬図５００における写真用プリンタ２１６の排出部２１６ａに対応する部分と、つまり当該写真の回収箇所と、関連付けられた状態で表示される。そして、写真が写真用プリンタ２１６の排出部２１６ａから回収されると、当該写真に対応するインデックスの表示が消える。
【０１４９】
また前述したように、本第２実施例においては、コピーサービス以外のサービスが提供される場合にも、図１２および図１３に示されるコピーモード画面１００ａに倣った態様の適宜のモード画面が、ディスプレイ２０２に表示される。
【０１５０】
図示は省略するが、たとえばＰＤＦプリントサービスの提供を受ける場合には、ＰＤＦプリントモード画面がディスプレイ２０２に表示される。このＰＤＦプリントモード画面においては、置き忘れられる虞のある物品としてのメディア、印刷物およびおつりのうちの未回収の物品に対応するインデックスを含む置き忘れ情報が表示される。そして、このＰＤＦプリントモード画面における置き忘れ情報には、コピーモード画面１００ａにおけるのと同様の模擬図と、当該コピーモード画面１００ａにおけるのと同様の注意喚起のための文字列と、も含まれる。
【０１５１】
特に、メディアに対応するインデックスは、前述の各インデックス５０２、５０４および５０６と同様、アイコンと文字列と枠線とを含む。このうちのアイコンは、メディアの外観を模式的に表す。そして、文字列は、メディアの種類を表す文字列を含む。さらに、枠線は、これらアイコンおよび文字列を一括的に囲む。このメディアに対応するインデックスは、模擬図における当該メディアについての所定の箇所である外部記憶媒体装着部２０６に対応する部分の近傍に表示される。併せて、このメディアに対応するインデックスには、模擬図における外部記憶媒体装着部２０６に対応する部分を指し示す矢印が付される。すなわち、このメディアに対応するインデックスは、模擬図における外部記憶媒体装着部２０６に対応する部分と、つまり当該メディアの回収箇所と、関連付けられた状態で表示される。そして、メディアが外部記憶媒体装着部２０６から回収されると、当該メディアに対応するインデックスの表示が消える。
【０１５２】
また、写真プリントサービスを受ける場合には、写真プリントモード画面がディスプレイ２０２に表示される。この写真プリントモード画面においては、置き忘れられる虞のある物品としてのメディア、印刷物、写真およびおつりのうちの未回収の物品に対応するインデックスを含む置き忘れ情報が表示される。そして、この写真プリントモード画面における置き忘れ情報にも、コピーモード画面１００ａにおけるのと同様の模擬図と、当該コピーモード画面１００ａにおけるのと同様の注意喚起のための文字列と、が含まれる。
【０１５３】
ネットワークプリントサービスの提供を受ける場合には、ネットワークプリントモード画面がディスプレイ２０２に表示される。このネットワークプリントモード画面においては、置き忘れられる虞のある物品としての印刷物、写真およびおつりのうちの未回収の物品に対応するインデックスを含む置き忘れ情報が表示される。そして、このネットワークプリントモード画面における置き忘れ情報にも、コピーモード画面１００ａにおけるのと同様の模擬図と、当該コピーモード画面１００ａにおけるのと同様の注意喚起のための文字列と、が含まれる。
【０１５４】
コンテンツプリントサービスの提供を受ける場合には、コンテンツプリントモード画面がディスプレイ２０２に表示される。このコンテンツプリントモード画面においては、ネットワークプリントモード画面と同様、置き忘れられる虞のある物品としての印刷物、写真およびおつりのうちの未回収の物品に対応するインデックスを含む置き忘れ情報が表示される。そして、このコンテンツプリントモード画面における置き忘れ情報にも、コピーモード画面１００ａにおけるのと同様の模擬図と、当該コピーモード画面１００ａにおけるのと同様の注意喚起のための文字列と、が含まれる。
【０１５５】
ファックスサービスの提供を受ける場合には、とりわけファックス送信をする場合には、ファックス送信モード画面がディスプレイ２０２に表示される。このファックス送信モード画面においては、置き忘れられる虞のある物品としての原稿、印刷物およびおつりのうちの未回収の物品に対応するインデックスを含む置き忘れ情報が表示される。そして、このファクシミリ送信モード画面における置き忘れ情報にも、コピーモード画面１００ａにおけるのと同様の模擬図と、当該コピーモード画面１００ａにおけるのと同様の注意喚起のための文字列と、が含まれる。
【０１５６】
そして、ファックス受信をする場合には、ファックス受信モード画面がディスプレイ２０２に表示される。このファックス受信モード画面においては、置き忘れられる虞のある物品としての印刷物およびおつりのうちの未回収の物品に対応するインデックスを含む置き忘れ情報が表示される。そして、このファクシミリ受信モード画面における置き忘れ情報にも、コピーモード画面１００ａにおけるのと同様の模擬図と、当該コピーモード画面１００ａにおけるのと同様の注意喚起のための文字列と、が含まれる。
【０１５７】
さらに、スキャンサービスの提供を受ける場合には、スキャンモード画面がディスプレイ２０２に表示される。このスキャンモード画面においては、置き忘れられる虞のある物品としての原稿、メディアおよびおつりのうち未回収の物品に対応するインデックスを含む置き忘れ情報が表示される。そして、このスキャンプリントモード画面における置き忘れ情報にも、コピーモード画面１００ａにおけるのと同様の模擬図と、当該コピーモード画面１００ａにおけるのと同様の注意喚起のための文字列と、が含まれる。
【０１５８】
行政サービスの提供を受ける場合には、行政サービスモード画面がディスプレイ２０２に表示される。この行政サービスモード画面においては、置き忘れられる虞のある物品としての住民基本台帳カードもしくは個人番号カード、印刷物およびおつりのうちの未回収の物品に対応するインデックスを含む置き忘れ情報が表示される。そして、この行政サービスモード画面における置き忘れ情報にも、コピーモード画面１００ａにおけるのと同様の模擬図と、当該コピーモード画面１００ａにおけるのと同様の注意喚起のための文字列と、が含まれる。
【０１５９】
特に、住民基本台帳カードもしくは個人番号カードというＩＣカードに対応するインデックスは、前述の各インデックス５０２、５０４および５０６と同様、アイコンと文字列と枠線とを含む。このうちのアイコンは、ＩＣカードの外観を模式的に表す。そして、文字列は、ＩＣカードの種類を表す文字列を含む。さらに、枠線は、これらアイコンおよび文字列を一括的に囲む。このＩＣカードに対応するインデックスは、模擬図における当該ＩＣカードについての所定の箇所である近距離通信部２１２に対応する部分の近傍に表示される。併せて、このＩＣカードに対応するインデックスには、模擬図における近距離通信部２１２に対応する部分を指し示す矢印が付される。すなわち、このＩＣカードに対応するインデックスは、模擬図における近距離通信部２１２に対応する部分と、つまり当該ＩＣカードの回収箇所と、関連付けられた状態で表示される。そして、ＩＣカードが近距離通信部２１２から回収されると、当該ＩＣカードに対応するインデックスの表示が消える。
【０１６０】
このような置き忘れ情報（１２０ａなど）を含む各モード画面（１００ａなど）を表示するために、アプリケーションボックス２０側のＣＰＵ２２２ａは、前述の第１実施例におけるのと同様の要領で、物品検出処理を実行する。併せて、ＣＰＵ２２２ａは、第１実施例におけるのと同様の要領で、置き忘れ管理処理を実行する。特に、前述のステップＳ９（図１０参照）およびステップＳ２３（図１１参照）においては、ＣＰＵ２２２ａは、置き忘れ検出レジスタ４６２（図９参照）の記憶内容に基づいて、置き忘れ情報（１２０ａなど）の表示を更新する。なお、これらの処理についての詳しい説明は省略する。
【０１６１】
このように本第２実施例によれば、置き忘れられる虞のある複数の物品のうち未回収の物品がある場合に、この未回収の物品に対応するインデックス（５０２、５０４、５０６など）が表示され、つまり当該未回収の物品に関する情報が図示される。したがって、ユーザは、このインデックスを含む置き忘れ情報の内容から、未回収の物品の有無を直観的に認識することができるとともに、当該未回収の物品がある場合には、その回収箇所を直観的に認識することができる。このことは、各物品の置き忘れを防止するのに大きく貢献する。
【０１６２】
［第３実施例］
次に、本発明の第３実施例について説明する。
【０１６３】
本第３実施例においては、たとえば第１実施例における図５〜図７に示されるコピーモード画面１００に代えて、図１４に示されるようなコピーモード画面１００ｂが、ディスプレイ２０２に表示される。具体的には、本第３実施例においては、マルチコピー機１０により提供可能なサービスのうちのコピーサービスが提供される場合に、図１４に示されるようなコピーモード画面１００ａが、ディスプレイ２０２に表示される。また、本第３実施例においては、コピーサービス以外のサービスが提供される場合にも、図１４に示されるコピーモード画面１００ｂに倣った態様の適宜のモード画面が、ディスプレイ２０２に表示される。本第３実施例におけるこれ以外の部分は、第１実施例と同様であるので、当該第１実施例と同様の部分についての説明は省略する。
【０１６４】
図１４に示されるコピーモード画面１００ｂは、図７に示されるコピーモード画面１００に対応し、換言すれば第２実施例における図１２に示されるコピーモード画面１００ａに対応する。すなわち、この図１４に示されるコピーモード画面１００ｂは、画像読取部３０２の原稿台にＡ４版の原稿がセットされたままの状態にあり、併せて、排紙トレイ３０８に印刷物が残っており、さらに、おつりがあることを表す。
【０１６５】
より具体的に説明すると、この図１４に示されるコピーモード画面１００ａによれば、矩形状の置き忘れ注意画面６００がポップアップ表示（またはオーバレイ表示）される。そして、この置き忘れ注意画面６００内に、置き忘れ情報１２０ｂが表示される。なお、置き忘れ注意画面６００がポップアップ表示されることにより、当該置き忘れ注意画面６００の背面側（図１４が記載された紙面のうら面側）に、たとえば第１実施例におけるのと同様の設定キー群１０２（各設定キー１０４、１０４、…）の一部、テンキー群１０６、フィールド１０８およびスタートキー１１０が隠れた状態になる。
【０１６６】
この置き忘れ注意画面６００内に表示される置き忘れ情報１２０ｂは、第２実施例における置き忘れ情報（１２０ａなど）と同様、マルチコピー機１０の外観を模式的に表す模擬図６１０を含む。そして、この模擬図６１０の周囲の適当な位置に、置き忘れられる虞のある複数の物品のうちの未回収の物品に対応するボックス形のインデックス６１２、６１４および６１６が表示される。これらのインデックス６１２、６１４および６１６は、第２実施例におけるインデックス（５０２、５０４および５０６など）と同様、それぞれ、アイコンと文字列と枠線とを含む。併せて、これらのインデックス６１２、６１４および６１６には、それぞれ、矢印が付されている。なお、図１４においては、その見易さを考慮して、これらのインデックス６１２、６１４および６１６の各要素への詳細な符号の記載を省略する。
【０１６７】
各インデックス６１２、６１４および６１６のうちの「原稿：Ａ４」という文字列を含むインデックス６１２は、原稿に対応する。この原稿に対応するインデックス６１２は、当該原稿の外観を模式的に表すアイコンを含む。併せて、このインデックス６１２は、アイコンおよび文字列を一括的に囲む矩形状の枠線を含む。そして、このインデックス６１２は、模擬図６１０における原稿についての所定の箇所である画像読取部３０２の原稿台に対応する部分の近傍に表示される。さらに、このインデックス６１２には、模擬図６１０における画像読取部３０２の原稿台に対応する部分を指し示す矢印が付される。
【０１６８】
そして、「印刷物：Ａ４」という文字列が記されたインデックス６１４は、印刷物に対応する。この印刷物に対応するインデックス６１４は、当該印刷物の外観を模式的に表すアイコンを含む。併せて、このインデックス６１４は、アイコンおよび文字列を一括的に囲む枠線を含む。そして、このインデックス６１４は、模擬図６１０における印刷物についての所定の箇所である排紙トレイ３０８に対応する部分の近傍に表示される。さらに、このインデックス６１４には、模擬図６１０における排紙トレイ３０８に対応する部分を指し示す矢印が付される。
【０１６９】
「おつり：〇〇円」という文字列が記されたインデックス６１６は、おつりに対応する。このおつりに対応するインデックス６１６は、金銭を模式的に表すアイコンを含む。併せて、このインデックス６１６は、アイコンおよび文字列を一括的に囲む枠線を含む。そして、このインデックス６１６は、模擬図６１０における当該おつりについての所定の箇所である貨幣処理部２１４（とりわけ硬貨返却口２１４ｂ）に対応する部分の近傍に表示される。さらに、このインデックス６１６には、模擬図６１０における貨幣処理部２１４に対応する部分を指し示す矢印が付される。なお、詳しい図示は省略するが、このおつりに対応するインデックス６１６に含まれる「おつり：〇〇円」という文字列のうちの「〇〇」という部分には、おつりの具体的な金額を表す数値が表示される。
【０１７０】
加えて、置き忘れ注意画面６００内における適宜の位置に、たとえば当該置き忘れ注意画面６００内における上部に、置き忘れについての注意を喚起するための適当な文字列６２０が表示される。ここでは、この文字列６２０として、たとえば第１実施例におけるのと同様の「※お忘れ物にご注意ください。」という文字列が表示される。
【０１７１】
ユーザは、このような置き忘れ注意画面６００内に表示された置き忘れ情報１２０ｂの内容から、Ａ４サイズの原稿が画像読取部３０２の原稿台にセットされたままの状態にあること、および、Ａ４サイズの印刷物が排紙トレイ３０８に残っていること、さらに、おつりがあることを、直観的に認識することができる。しかも、この置き忘れ情報１２０ｂは、ポップアップ画面である置き忘れ注意画面６００内に表示されるので、たとえば第２実施例における置き忘れ情報（１２０ａなど）よりも大きめの態様で表示することができる。このように置き忘れ情報１２０ｂが大きめの態様で表示されることにより、ユーザによる視認性がより向上する。このこともまた、各物品の置き忘れを防止するのに大きく貢献する。
【０１７２】
そして、この図１４に示されるコピーモード画面１００ｂが表示されている状態で、たとえば原稿が画像読取部３０２の原稿台から回収されると、図示は省略するが、当該原稿に対応するインデックス６１２の表示が消える。これと同様に、印刷物が排紙トレイ３０８から回収されると、当該印刷物に対応するインデックス６１４の表示が消える。さらに、おつりが回収されると、当該おつりに対応するインデックス６１６の表示が消える。そして、このように置き忘れられる虞のある全ての物品が回収されると、置き忘れ注意画面６００のポップアップ表示が消える。この結果、置き忘れ注意画面６００の背面側に隠れていた設定キー群１０２の一部やテンキー群１０６などが表示される。
【０１７３】
なお、図示は省略するが、写真が出力された場合には、当該写真に対応するインデックスが加わる。この写真に対応するインデックスは、図１４に示される各インデックス６１２、６１４および６１６と同様、アイコンと文字列と枠線とを含む。このうちのアイコンは、写真の外観を模式的に表す。そして、文字列は、写真のサイズを表す文字列を含む。さらに、枠線は、これらアイコンおよび文字列を一括的に囲む。この写真に対応するインデックスは、模擬図６１０における当該写真についての所定の箇所である写真用プリンタ２１６の排出部２１６ａに対応する部分の近傍に表示される。併せて、この写真に対応するインデックスには、模擬図６１０における写真用プリンタ２１６の排出部２１６ａに対応する部分を指し示す矢印が付される。そして、写真が写真用プリンタ２１６の排出部２１６ａから回収されると、当該写真に対応するインデックスの表示が消える。
【０１７４】
また、前述したように、本第３実施例においては、コピーサービス以外のサービスが提供される場合にも、図１４に示されるコピーモード画面１００ｂに倣った態様の適宜のモード画面が、ディスプレイ２０２に表示される。
【０１７５】
図示は省略するが、たとえばＰＤＦプリントサービスの提供を受ける場合には、ＰＤＦプリントモード画面がディスプレイ２０２に表示される。このＰＤＦプリントモード画面においては、置き忘れられる虞のある物品としてのメディア、印刷物およびおつりのうち未回収の物品がある場合に、図１４に示される置き忘れ注意画面６００に倣った態様の置き忘れ注意画面がポップアップ表示される。そして、この置き忘れ注意画面内に、置き忘れ情報が表示される。この置き忘れ情報には、未回収の物品に対応するインデックスと、図１４に示される置き忘れ注意画面６００（コピーモード画面１００ｂ）におけるのと同様の模擬図と、当該置き忘れ注意画面６００におけるのと同様の注意喚起のための文字列と、が含まれる。
【０１７６】
特に、メディアに対応するインデックスは、図１４に示される各インデックス６１２、６１４および６１６と同様、アイコンと文字列と枠線とを含む。このうちのアイコンは、メディアの外観を模式的に表す。そして、文字列は、メディアの種類を表す文字列を含む。さらに、枠線は、これらアイコンおよび文字列を一括的に囲む。このメディアに対応するインデックスは、模擬図における当該メディアについての所定の箇所である外部記憶媒体装着部２０６に対応する部分の近傍に表示される。併せて、このメディアに対応するインデックスには、模擬図における外部記憶媒体装着部２０６に対応する部分を指し示す矢印が付される。そして、メディアが外部記憶媒体装着部２０６から回収されると、当該メディアに対応するインデックスの表示が消える。
【０１７７】
また、写真プリントサービスを受ける場合には、写真プリントモード画面がディスプレイ２０２に表示される。この写真プリントモード画面においては、置き忘れられる虞のある物品としてのメディア、印刷物、写真およびおつりのうち未回収の物品がある場合に、図１４に示される置き忘れ注意画面６００に倣った態様の置き忘れ注意画面がポップアップ表示される。そして、この置き忘れ注意画面内に、置き忘れ情報が表示される。この置き忘れ情報には、未回収の物品に対応するインデックスと、図１４に示される置き忘れ注意画面６００におけるのと同様の模擬図と、当該置き忘れ注意画面６００におけるのと同様の注意喚起のための文字列と、が含まれる。
【０１７８】
ネットワークプリントサービスの提供を受ける場合には、ネットワークプリントモード画面がディスプレイ２０２に表示される。このネットワークプリントモード画面においては、置き忘れられる虞のある物品としての印刷物、写真およびおつりのうち未回収の物品がある場合に、図１４に示される置き忘れ注意画面６００に倣った態様の置き忘れ注意画面がポップアップ表示される。そして、この置き忘れ注意画面内に、置き忘れ情報が表示される。この置き忘れ情報には、未回収の物品に対応するインデックスと、図１４に示される置き忘れ注意画面６００におけるのと同様の模擬図と、当該置き忘れ注意画面６００におけるのと同様の注意喚起のための文字列と、が含まれる。
【０１７９】
コンテンツプリントサービスの提供を受ける場合には、コンテンツプリントモード画面がディスプレイ２０２に表示される。このコンテンツプリントモード画面においては、置き忘れられる虞のある物品としての印刷物、写真およびおつりのうち未回収の物品がある場合に、図１４に示される置き忘れ注意画面６００に倣った態様の置き忘れ注意画面がポップアップ表示される。そして、この置き忘れ注意画面内に、置き忘れ情報が表示される。この置き忘れ情報には、未回収の物品に対応するインデックスと、図１４に示される置き忘れ注意画面６００におけるのと同様の模擬図と、当該置き忘れ注意画面６００におけるのと同様の注意喚起のための文字列と、が含まれる。
【０１８０】
ファックスサービスの提供を受ける場合には、とりわけ、ファックス送信をする場合には、ファックス送信モード画面がディスプレイ２０２に表示される。このファックス送信モード画面においては、置き忘れられる虞のある物品としての原稿、印刷物およびおつりのうち未回収の物品がある場合に、図１４に示される置き忘れ注意画面６００に倣った態様の置き忘れ注意画面がポップアップ表示される。そして、この置き忘れ注意画面内に、置き忘れ情報が表示される。この置き忘れ情報には、未回収の物品に対応するインデックスと、図１４に示される置き忘れ注意画面６００におけるのと同様の模擬図と、当該置き忘れ注意画面６００におけるのと同様の注意喚起のための文字列と、が含まれる。
【０１８１】
そして、ファックス受信をする場合には、ファックス受信モード画面がディスプレイ２０２に表示される。このファックス受信モード画面においては、置き忘れられる虞のある物品としての印刷物およびおつりのうち未回収の物品がある場合に、図１４に示される置き忘れ注意画面６００に倣った態様の置き忘れ注意画面がポップアップ表示される。そして、この置き忘れ注意画面内に、置き忘れ情報が表示される。この置き忘れ情報には、未回収の物品に対応するインデックスと、図１４に示される置き忘れ注意画面６００におけるのと同様の模擬図と、当該置き忘れ注意画面６００におけるのと同様の注意喚起のための文字列と、が含まれる。
【０１８２】
さらに、スキャンサービスの提供を受ける場合には、スキャンモード画面がディスプレイ２０２に表示される。このスキャンモード画面においては、置き忘れられる虞のある物品としての原稿、メディアおよびおつりのうち未回収の物品がある場合に、図１４に示される置き忘れ注意画面６００に倣った態様の置き忘れ注意画面がポップアップ表示される。そして、この置き忘れ注意画面内に、置き忘れ情報が表示される。この置き忘れ情報には、未回収の物品に対応するインデックスと、図１４に示される置き忘れ注意画面６００におけるのと同様の模擬図と、当該置き忘れ注意画面６００におけるのと同様の注意喚起のための文字列と、が含まれる。
【０１８３】
行政サービスの提供を受ける場合には、行政サービスモード画面がディスプレイ２０２に表示される。この行政サービスモード画面においては、置き忘れられる虞のある物品としての住民基本台帳カードもしくは個人番号カード、印刷物およびおつりのうち未回収の物品がある場合に、図１４に示される置き忘れ注意画面６００に倣った態様の置き忘れ注意画面がポップアップ表示される。そして、この置き忘れ注意画面内に、置き忘れ情報が表示される。この置き忘れ情報には、未回収の物品に対応するインデックスと、図１４に示される置き忘れ注意画面６００におけるのと同様の模擬図と、当該置き忘れ注意画面６００におけるのと同様の注意喚起のための文字列と、が含まれる。
【０１８４】
特に、住民基本台帳カードもしくは個人番号カードというＩＣカードに対応するインデックスは、図１４に示される各インデックス６１２、６１４および６１６と同様、アイコンと文字列と枠線とを含む。このうちのアイコンは、ＩＣカードの外観を模式的に表す。そして、文字列は、ＩＣカードの種類を表す文字列を含む。さらに、枠線は、これらアイコンおよび文字列を一括的に囲む。このＩＣカードに対応するインデックスは、模擬図における当該ＩＣカードについての所定の箇所である近距離通信部２１２に対応する部分の近傍に表示される。併せて、このＩＣカードに対応するアイコンには、模擬図における近距離通信部２１２に対応する部分を指し示す矢印が付される。そして、ＩＣカードが近距離通信部２１２から回収されると、当該ＩＣカードに対応するインデックスの表示が消える。
【０１８５】
このような置き忘れ情報（１２０ｂなど）を含む置き忘れ注意画面（６００など）を表示するために、アプリケーションボックス２０側のＣＰＵ２２２ａは、前述の第１実施例におけるのと同様の要領で、物品検出処理を実行する。併せて、ＣＰＵ２２２ａは、置き忘れ管理処理を実行するが、本第３実施例における置き忘れ管理処理の流れは、第１実施例における置き忘れ管理処置の流れと少し異なる。本第３実施例における置き忘れ管理処理の流れを、図１５および図１６に示す。
【０１８６】
本第３実施例における置き忘れ管理処理によれば、図１５に示されるように、ＣＰＵ２２２ａは、まず、ステップＳ１０１において、一時記憶レジスタ４６４を初期化し、詳しくは当該一時記憶レジスタ４６４の（置き忘れ検出レジスタ４６２の各記憶領域４６２ａ、４６２ａ、…と同様の）各記憶領域にゼロというデータを記憶する。そして、ＣＰＵ２２２ａは、処理をステップＳ１０３へ進める。
【０１８７】
ステップＳ１０３において、ＣＰＵ２２２ａは、置き忘れられる虞のあるそれぞれの物品を回収するタイミングが到来するのを待つ（Ｓ１０３：ＮＯ）。具体的には、ＣＰＵ２２２ａは、現在提供中のサービスに係るジョブが完了するか、または、モード画面における終了キー（１１４など）が押下されるのを、待つ。そして、それぞれの物品の回収タイミングが到来すると、つまりジョブが完了するか、または、終了キーが押下されると（Ｓ１０３：ＹＥＳ）、ＣＰＵ２２２ａは、処理をステップＳ１０５へ進める。
【０１８８】
ステップＳ１０５において、ＣＰＵ２２２ａは、置き忘れ検出レジスタ４６２の記憶内容を参照する。そして、ＣＰＵ２２２ａは、ステップＳ１０７において、ステップＳ１０５における置き忘れ検出レジスタ４６２の参照結果に基づいて、置き忘れがあるかどうかを判定し、つまり置き忘れられる虞のある物品のうちまだ未回収の物品があるかどうかを判定する。ここでたとえば、置き忘れがない場合、つまり置き忘れられる虞のある物品の全てが回収済である場合（Ｓ１０７：ＮＯ）、ＣＰＵ２２２ａは、処理を後述するステップＳ１２７へ進める。一方、置き忘れがある場合、つまり置き忘れられる虞のある物品のうち未回収の物品がある場合は（Ｓ１０７：ＹＥＳ）、ＣＰＵ２２２ａは、処理をステップＳ１０９へ進める。
【０１８９】
ステップＳ１０９において、ＣＰＵ２２２ａは、今現在、置き忘れ注意画面（６００など）が表示されているかどうかを判定する。ここでたとえば、置き忘れ注意画面が表示されていない場合は（Ｓ１０９：ＮＯ）、ＣＰＵ２２２ａは、処理をステップＳ１１１へ進める。一方、置き忘れ注意画面が表示中である場合は（Ｓ１０９：ＹＥＳ）、ＣＰＵ２２２ａは、処理を後述するステップＳ１１３へ進める。なお、本第３実施例における一連の置き忘れ管理処理において、このステップＳ１０９が最初に実行される場合に、ＣＰＵ２２２ａは、処理を当該ステップＳ１０９からステップＳ１１１へ進める。
【０１９０】
ステップＳ１１１において、ＣＰＵ２２２ａは、置き忘れ注意画面をディスプレイ２０２にポップアップ表示し、つまり置き忘れ情報（１２０ｂなど）を表示する。そして、ＣＰＵ２２２ａは、処理を後述するステップＳ１１９へ進める。
【０１９１】
一方、ステップＳ１１３において、ＣＰＵ２２２ａは、置き忘れ検出レジスタ４６２の記憶内容と一時記憶レジスタ４６４の記憶内容とを比較する。その上で、ＣＰＵ２２２ａは、処理をステップＳ１１５へ進める。
【０１９２】
ステップＳ１１５において、ＣＰＵ２２２ａは、前述のステップＳ１１３における比較の結果、置き忘れ検出レジスタ４６２の記憶内容と一時記憶レジスタ４６４の記憶内容とが相違するかどうか、つまり未回収の物品の状態が変化しているかどうかを、判定する。ここでたとえば、置き忘れ検出レジスタ４６２の記憶内容と一時記憶レジスタ４６４の記憶内容とが相違する場合、つまり未回収の物品の状態が変化している場合（Ｓ１１５：ＹＥＳ）、ＣＰＵ２２２ａは、処理をステップＳ１１７へ進める。一方、置き忘れ検出レジスタ４６２の記憶内容と一時記憶レジスタ４６４の記憶内容とが相違していない場合、つまり未回収の物品の状態に変化がない場合は（Ｓ１１５：ＮＯ）、ＣＰＵ２２２ａは、処理を後述するステップＳ１２３へ進める。
【０１９３】
ステップＳ１１７において、ＣＰＵ２２２ａは、前述のステップＳ１０５における置き忘れ検出レジスタ４６２の参照結果に基づいて、ディスプレイ２０２に表示されている置き忘れ注意画面（６００など）の表示を更新し、つまり置き忘れ情報の表示を更新する。そして、ＣＰＵ２２２ａは、処理をステップＳ１１９へ進める。
【０１９４】
ステップＳ１１９において、ＣＰＵ２２２ａは、置き忘れ検出レジスタ４６２の記憶内容を一時記憶レジスタ４６４へコピーする。そして、ＣＰＵ２２２ａは、処理をステップＳ１２１へ進める。
【０１９５】
ステップＳ１２１において、ＣＰＵ２２２ａは、未回収の物品を回収する期限までの時間をカウントするためのタイマをリセットした上でスタートさせる。ここで言うタイマは、ＣＰＵ２２２ａによって構成されるソフトウェアタイマである。そして、ＣＰＵ２２２ａは、処理をステップＳ１２３へ進める。
【０１９６】
ステップＳ１２３において、ＣＰＵ２２２ａは、前述のタイマのカウント時間がタイムアップしたかどうかを、つまり未回収の物品を回収する期限が到来したかどうかを、判定する。ここでたとえば、前述のタイマのカウント時間がタイムアップしていない場合、つまり未回収の物品を回収する期限がまだ到来していない場合（Ｓ１２３：ＮＯ）、ＣＰＵ２２２ａは、処理をステップＳ１０５へ戻す。一方、前述のタイマのカウント時間がタイムアップした場合は、つまり未回収の物品を回収する期限が到来した場合は（Ｓ１２３：ＹＥＳ）、ＣＰＵ２２２ａは、処理をステップＳ１２５へ進める。なお、ここで言うタイマのカウント時間がタイムアップするまでの時間としては、たとえば数十秒間〜１分間程度が適当である。
【０１９７】
ステップＳ１２５において、ＣＰＵ２２２ａは、置き忘れ検出レジスタ４６２の記憶内容に基づいて、置き忘れがあることを表す警告を出力する。具体的にはたとえば、ＣＰＵ２２２ａは、適当な文字や絵図などを用いて、どのような物品が置き忘れられているのかを表す警告メッセージをディスプレイ２０２に表示する。またたとえば、ＣＰＵ２２２ａは、音声処理部２３０を表示して、警告のための音声メッセージをスピーカ２３２から出力させる。その上で、ＣＰＵ２２２ａは、一連の置き忘れ管理処理を終了する。なお、このステップＳ１２５で出力される警告は、たとえば全ての未回収の物品が回収されたり、あるいはタッチパネル２０４に対して所定の操作が成されたりするなどの、所定の条件が満足されたときに停止される。また、このステップＳ１２５で出力される警告は、一定の時間が経過した時点で、停止されてもよい。
【０１９８】
なお、前述のステップＳ１０７からステップＳ１２７へ処理が進められた場合、ＣＰＵ２２２ａは、当該ステップＳ１０７において、今現在、置き忘れ注意画面が表示されているかどうかを判定する。ここでたとえば、置き忘れ注意画面が表示されていない場合は（Ｓ１２７：ＮＯ）、ＣＰＵ２２２ａは、一連の置き忘れ管理処理を終了する。一方、置き忘れ注意画面が表示中である場合は（Ｓ１２７：ＹＥＳ）、ＣＰＵ２２２ａは、処理をステップＳ１２９へ進める。
【０１９９】
ステップＳ１２９において、ＣＰＵ２２２ａは、置き忘れ注意画面の表示を終了する。その上で、ＣＰＵ２２２ａは、一連の置き忘れ管理処理を終了する。
【０２００】
このように本第３実施例によれば、置き忘れられる虞のある物品のうち未回収の物品がある場合に、置き忘れ注意画面（６００など）がポップアップ表示される。そして、この置き忘れ注意画面内に、未回収の物品に対応するインデックス（６１２、６１４、６１６など）を含む置き忘れ情報（１２０ｂなど）が表示され、つまり当該未回収の物品に関する情報が図示される。したがって、ユーザは、置き忘れ注意画面がポップアップ表示されることにより、未回収の物品があることを直観的に認識することができる。そして、この置き忘れ注意画面内に表示される置き忘れ情報の内容から、ユーザは、未回収の物品の回収箇所を直観的に認識することができる。しかも、置き忘れ情報は、ポップアップ画面である置き忘れ注意画面６００内に表示されるので、たとえば第２実施例における置き忘れ情報（１２０ａなど）よりも大きめの態様で表示することができる。このように置き忘れ情報１２０ｂが大きめの態様で表示されることにより、ユーザによる視認性がより向上する。このこともまた、各物品の置き忘れを防止するのに大きく貢献する。
【０２０１】
［第４実施例］
次に、本発明の第４実施例について説明する。
【０２０２】
本第４実施例においては、たとえば第１実施例における図５〜図７に示されるコピーモード画面１００に代えて、図１７および図１８に示されるようなコピーモード画面１００ｃが、ディスプレイ２０２に表示される。具体的には、本第４実施例においては、マルチコピー機１０により提供可能なサービスのうちのコピーサービスが提供される場合に、図１７および図１８に示されるようなコピーモード画面１００ｃが、ディスプレイ２０２に表示される。また、本第４実施例においては、コピーサービス以外のサービスが提供される場合にも、図１７および図１８に示されるコピーモード画面１００ｃに倣った態様の適宜のモード画面が、ディスプレイ２０２に表示される。本第４実施例におけるこれ以外の部分は、第１実施例と同様であるので、当該第１実施例と同様の部分についての説明は、省略する。
【０２０３】
図１７に示されるコピーモード画面１００ｃは、図７に示されるコピーモード画面１００に対応し、換言すれば第３実施例における図１４に示されるコピーモード画面１００ｂに対応する。すなわち、この図１７に示されるコピーモード画面１００ｃは、画像読取部３０２の原稿台にＡ４版の原稿がセットされたままの状態にあり、併せて、排紙トレイ３０８に印刷物が残っており、さらに、おつりがあることを表す。
【０２０４】
より具体的に説明すると、この図１７に示されるコピーモード画面１００ｃによれば、図１４に示されるコピーモード画面１００ｂと同様、矩形状の置き忘れ注意画面７００がポップアップ表示される。そして、この置き忘れ注意画面７００内に、置き忘れ情報１２０ｃが表示される。なお、置き忘れ注意画面７００がポップアップ表示されることにより、当該置き忘れ注意画面７００の背面側に、たとえば第１実施例におけるのと同様の設定キー群１０２の一部、テンキー群１０６、フィールド１０８およびスタートキー１１０が隠れた状態になる。
【０２０５】
この置き忘れ注意画面７００内に表示される置き忘れ情報１２０ｃは、図１４における置き忘れ情報１２０ｂと同様、マルチコピー機１０の外観を模式的に表す模擬図７１０を含む。そして、この模擬図７１０の周囲の適当な位置に、置き忘れられる虞のある複数の物品のうちの未回収の物品に対応するボックス形のインデックス７１２、７１４および７１６が表示される。
【０２０６】
各インデックス７１２、７１４および７１６は、図１４における各インデックス６１２、６１４、６１６と基本的に同様の態様である一方、原稿に対応するインデックス７１２のみが、他のインデックス７１４および７１６よりも大きく表示される。これは、未回収の物品のうちの原稿が、他の未回収の物品である印刷物およびおつりよりも早めに回収されるのが望ましいことを、表す。言い換えれば、未回収の物品を回収する順番として、原稿の優先度が最も高いことが、各インデックス７１２、７１４および７１６の大きさによって表される。
【０２０７】
また、この図１７における置き忘れ情報１２０ｃは、図１４における置き忘れ情報１２０ｂと同様、注意喚起のための適当な文字列７２０を含む。
【０２０８】
この図１７に示されるコピーモード画面１００ｃが表示されている状態において、優先度が最も高い物品としての原稿が回収されると、当該コピーモード画面１００ｃが、図１８に示されるような態様に変化する。すなわち、この図１８に示されるように、回収された原稿に対応するインデックス７１２の表示が消える。そして、印刷物に対応するインデックス７１４が大きく表示される。これは、未回収の物品のうちの印刷物が、他の未回収の物品であるおつりよりも早めに回収されるのが望ましいことを、表す。
【０２０９】
そして、この図１８に示されるコピーモード画面１００ｃが表示されている状態において、優先度が最も高い物品としての印刷物が回収されると、図示は省略するが、当該印刷物に対応するインデックス７１４の表示が消える。これに代わって、おつりに対応するインデックス７１６が大きく表示される。さらに、おつりが回収されると、当該おつりに対応するインデックス７１６の表示が消える。そして、このように全ての未回収の物品が回収されると、置き忘れ注意画面７００のポップアップ表示が消える。この結果、置き忘れ注意画面７００の背面側に隠れていた設定キー群１０２の一部やテンキー群１０６などが表示される。
【０２１０】
ここで言う優先度は、図１９に示される優先度テーブル７５０に基づく。この優先度テーブル７５０には、置き忘れられる虞のある全ての物品（置き忘れ候補）についての優先度が記憶されている。この図１９に示される優先度テーブル７５０によれば、個人情報が記憶されている住民基本台帳カードもしくは個人番号カードというＩＣカードの優先度が最も高く、これ以外の各物品の優先度が適宜に定められている。なお、この優先度は、任意に設定（変更）することができる。このような優先度テーブル７５０は、たとえばアプリケーションボックス２０の主記憶部２２２ｂのＲＡＭに格納される。
【０２１１】
ゆえにたとえば、改めて図１７を参照すると、この図１７に示されるコピーモード画面１００ｃ（置き忘れ注意画面７００）においては、未回収の物品である原稿、印刷物およびおつりのうち優先度テーブル７５０に基づく優先度が最も高い原稿に対応するインデックス７１２が、大きく表示される。またたとえば、図１８を参照すると、この図１８に示されるコピーモード画面１００ｃにおいては、未回収の物品である印刷物およびおつりのうち優先度テーブル７５０に基づく優先度が最も高い印刷物に対応するインデックス７１４が、大きく表示される。
【０２１２】
なお、図示は省略するが、写真が出力された場合には、当該写真に対応するインデックスが加わる。この写真に対応するインデックスについても、当該写真の優先度が最も高いときに、大きく表示される。そして、写真が回収されると、当該写真に対応するインデックスの表示が消える。
【０２１３】
また、前述したように、本第４実施例においては、コピーサービス以外のサービスが提供される場合も、図１７および図１８に示されるコピーモード画面１００ｃに倣った態様の適宜のモード画面が、ディスプレイ２０２に表示される。これらのモード画面については、その態様を含め、どのような構成のものであるのかを容易に理解し得るので、詳しい説明は省略する。
【０２１４】
本第４実施例においても、アプリケーションボックス２０側のＣＰＵ２２２ａは、前述の第１実施例におけるのと同様の要領で、換言すれば第３実施例におけるのと同様の要領で、物品検出処理を実行する。併せて、ＣＰＵ２２２ａは、第３実施例におけるのと同様の要領で、置き忘れ管理処理を実行する。特に、前述のステップＳ１１１（図１５参照）において、ＣＰＵ２２２ａは、優先度テーブル７５０に基づく優先度が最も高い未回収の物品に対応するインデックス（７１２、７１４、７１６など）が大きく表示されるように、置き忘れ注意画面（７００など）を表示する。また、前述のステップＳ１１７（図１５参照）において、ＣＰＵ２２２ａは、優先度テーブル７５０に基づく優先度が最も高い未回収の物品に対応するインデックスが大きく表示されるように、置き忘れ注意画面の表示態様を更新する。なお、これらの処理についての詳しい説明は省略する。
【０２１５】
このように本第４実施例によれば、未回収の物品のうち回収する順番の優先度が最も高い物品に対応するインデックスが、他の物品に対応するインデックスよりも大きく表示され、言わば目立つ態様で表示される。したがって、ユーザは、これらのインデックスを含む置き忘れ情報（１２０ｃなど）の内容から、未回収の物品のいずれを優先して回収するのが望ましいのかを直観的に認識することができる。このこともまた、各物品の置き忘れを防止するのに大きく貢献し、とりわけ、当該各物品をユーザにとって望ましい順番で確実に回収させるのに大きく貢献する。
【０２１６】
なお、本第４実施例において、前述の優先度が最も高い未回収の物品は、本発明に係る特定の物品の一例である。この優先度が最も高い未回収の物品に対応するインデックスについては、大きく表示される以外に、たとえば適当な色彩や模様が付されることによって、目立つ態様で表示されてもよく、つまり強調されてもよい。
【０２１７】
またたとえば、図１７に示されるコピーモード画面１００ｃが表示されている状態においては、優先度が最も高い未回収の物品である原稿以外の未回収の物品が回収されてもよく、つまり当該原稿よりも優先度が低い印刷物またはおつりが回収されもよい。この場合、図示は省略するが、回収された物品に対応するインデックス７１４または７１６の表示が消える。その上で、残された未回収の物品のうち最も優先度が高い物品、つまり原稿、に対応するインデックス７１２が、引き続き大きく表示される。このことは、図１８に示されるコピーモード画面１００ｃを含む任意のモード画面が表示されている状態において、優先度が最も高い未回収の物品以外の物品が回収された場合も、同様である。
【０２１８】
［第５実施例］
次に、本発明の第５実施例について説明する。
【０２１９】
本第５実施例においては、たとえば第１実施例における図５〜図７に示されるコピーモード画面１００に代えて、図２０および図２１に示されるようなコピーモード画面１００ｄが、ディスプレイ２０２に表示される。具体的には、本第５実施例においては、マルチコピー機１０により提供可能なサービスのうちのコピーサービスが提供される場合に、図２０および図２１に示されるようなコピーモード画面１００ｄが、ディスプレイ２０２に表示される。また、本第５実施例においては、コピーサービス以外のサービスが提供される場合にも、図２０および図２１に示されるコピーモード画面１００ｄに倣った態様の適宜のモード画面が、ディスプレイ２０２に表示される。本第５実施例におけるこれ以外の部分は、第１実施例と同様であるので、当該第１実施例と同様の部分についての説明は、省略する。
【０２２０】
図２０に示されるコピーモード画面１００ｄは、図７に示されるコピーモード画面１００に対応し、換言すれば第４実施例における図１７に示されるコピーモード画面１００ｃに対応する。すなわち、この図２０に示されるコピーモード画面１００ｄは、画像読取部３０２の原稿台にＡ４版の原稿がセットされたままの状態にあり、併せて、排紙トレイ３０８に印刷物が残っており、さらに、おつりがあることを表し、つまり３つの未回収の物品があることを表す。
【０２２１】
より具体的に説明すると、この図２０に示されるコピーモード画面１００ｄによれば、タブ付の置き忘れ注意画面８００がポップアップ表示される。そして、この置き忘れ注意画面８００内に、置き忘れ情報１２０ｄが表示され、厳密には原稿についての当該置き忘れ情報１２０ｄが表示される。なお、置き忘れ注意画面８００がポップアップ表示されることにより、当該置き忘れ注意画面８００の背面側に、たとえば第１実施例におけるのと同様の設定キー群１０２の一部、テンキー群１０６、フィールド１０８およびスタートキー１１０が隠れた状態になる。
【０２２２】
この図２０における置き忘れ注意画面８００は、前述の３つの未回収の物品に対応する３つのタブ８０２、８０４および８０６を有する。これらのタブ８０２、８０４および８０６は、たとえば置き忘れ注意画面８００の上部に設けられるが、これ以外の位置に設けられてもよい。そして、各タブ８０２、８０４および８０６には、それぞれに対応する未回収の物品の名称を表す文字列が記されており、つまり「原稿」、「印刷物」および「おつり」という文字列が記されている。
【０２２３】
この図２０における置き忘れ注意画面８００においては、原稿に対応するタブ８０２が選択された状態にあり、換言すれば当該原稿についての置き忘れ情報１２０ｄが最も手前（図２０が記載された紙面のおもて面側）に表示された状態にある。この置き忘れ情報１２０ｄは、マルチコピー機１０の外観を模式的に表す模擬図８１０を含む。この模擬図８１０は、たとえば置き忘れ注意画面８００の中央よりも少し下方寄りの位置に表示される。さらに、この模擬図８１０の周囲の適当な位置に、原稿に対応する吹き出し形のインデックス８１２が表示される。
【０２２４】
この原稿に対応するインデックス８１２は、当該原稿の外観を模式的に表すアイコン８１２ａと、このアイコン８１２ａを囲む吹き出し線８１２ｂと、を含む。そして、このインデックス８１２は、模擬図８１０における原稿についての所定の箇所である画像読取部３０２の原稿台に対応する部分の近傍に表示される。その上で、吹き出し線８１２ｂは、模擬図８１０における画像読取部３０２の原稿台に対応する部分を指し示す。さらに、置き忘れ注意画面８００内における適宜の位置に、たとえば当該置き忘れ注意画面８００内における上部に、原稿が置き忘れられていることを表す適当な文字列８２０が表示される。たとえば、「原稿：Ａ４が原稿台に残っています。」という文字列８２０が、上下２段にわたって大きめに表示される。
【０２２５】
ユーザは、このような置き忘れ注意画面８００の内容から、まずは、Ａ４版の原稿が画像読取部３０２の原稿台にセットされたままの状態にあることを、直観的に認識することができる。しかも、この原稿についての置き忘れ情報１２０ｄが、ポップアップ画面である置き忘れ注意画面９００内に大きく表示されるので、当該置き忘れ情報１２０ｄに対するユーザによる視認性が向上する。このことは特に、原稿の置き忘れを確実に防止するのに大きく貢献する。また、ユーザは、原稿に対応するタブ８０２と同様のタブ８０４および８０６が、つまり「印刷物」および「おつり」という文字列が記された２つの当該タブ８０４および８０６が、表示されていることから、原稿以外にも印刷物およびおつりという未回収の物品があることを、認識することができる。
【０２２６】
この図２０に示されるコピーモード画面１００ｄが表示されている状態において、たとえば原稿が回収されると、当該コピーモード画面１００ｄが、図２１に示されるような態様に変化する。すなわち、この図２１に示されるように、回収された原稿に対応するタブ８０２の表示が消え、つまり当該原稿についての置き忘れ情報１２０ｄの表示が消える。そして、このコピーモード画面１００ｄにおける置き忘れ注意画面８００は、印刷物に対応するタブ８０４が選択された状態となり、つまり当該印刷物についての置き忘れ情報１２０ｅが最も手前に表示された状態となる。
【０２２７】
この印刷物についての置き忘れ情報１２０ｅもまた、前述の原稿についての置き忘れ情報１２０ｄと同様、マルチコピー機１０の外観を模式的に表す模擬図８１０を含む。そして、この模擬図８１０における印刷物についての所定の箇所である排紙トレイ３０８の近傍の位置に、当該印刷物に対応するインデックス８１４が表示される。このインデックス８１４は、原稿に対応するインデックス８１２と同様、印刷物の外観を模式的に表すアイコン８１４ａと、このアイコン８１４ａを囲む吹き出し線８１４ｂと、を含む。そして、吹き出し線８１４ｂは、模擬図８１０における排紙トレイ３０８に対応する部分を指し示す。さらに、この図２１における置き忘れ注意画面８００においても、当該置き忘れ注意画面８００内の上部に、印刷物が置き忘れられていることを表す適当な文字列８２２が表示される。たとえば、「印刷物：Ａ４が排紙トレイに残っています。」という文字列８２２が、上下２段にわたって大きめに表示される。
【０２２８】
ユーザは、この図２１における置き忘れ注意画面８００の内容から、とりわけ、Ａ４版の印刷物が排紙トレイ３０８に残されていることを、直観的に認識することができる。そして、この印刷物についての置き忘れ情報１２０ｅもまた、ポップアップ画面である置き忘れ注意画面８００内に大きく表示されるので、当該置き忘れ情報１２０ｅに対するユーザによる視認性が向上する。このことは特に、印刷物の置き忘れを確実に防止するのに大きく貢献する。併せて、ユーザは、印刷物に対応するタブ８０４と同様のタブ８０６が、つまり「おつり」という文字列が記された当該タブ８０６が、表示されていることから、印刷物以外にもおつりという未回収の物品があることを、認識することができる。
【０２２９】
この図２１に示されるコピーモード画面１００ｄが表示されている状態において、たとえば印刷物が回収されると、図示は省略するが、当該印刷物に対応するタブ８０４の表示が消え、つまり当該印刷物についての置き忘れ情報１２０ｅの表示が消える。そして、置き忘れ注意画面８００は、おつりに対応するタブ８０６が選択され、つまり当該おつりについての置き忘れ情報が表示される。このときの置き忘れ注意画面８００については、その態様を含め、どのような構成のものであるのかを容易に理解し得るので、詳しい説明は省略する。
【０２３０】
さらに、おつりが回収されると、図示は省略するが、当該おつりに対応するタブ８０６の表示が消える。そして、このように全ての未回収の物品が回収されると、置き忘れ注意画面８００のポップアップ表示が消える。この結果、置き忘れ注意画面８００の背面側に隠れていた設定キー群１０２の一部やテンキー群１０６などが表示される。
【０２３１】
ここで、各タブ８０２、８０４および８０６が選択される順番は、前述の優先度テーブル７５０（図１９参照）に基づく。ゆえにたとえば、改めて図２０を参照すると、この図２０に示されるコピーモード画面１００ｄ（置き忘れ注意画面８００）においては、未回収の物品のうち優先度テーブル７５０に基づく優先度が最も高い原稿に対応するタブ８０２が選択され、つまり当該原稿についての置き忘れ情報１２０ｄが最も手前に表示される。またたとえば、図２１を参照すると、この図２１に示されるコピーモード画面１００ｄにおいては、未回収の物品のうち優先度テーブル７５０に基づく優先度が最も高い印刷物に対応するタブ８０４が選択され、つまり当該印刷物についての置き忘れ情報１２０ｅが最も手前に表示される。
【０２３２】
なお図示は省略するが、写真が出力された場合には、当該写真に対応するタブが置き忘れ注意画面８００に付される。そして、写真の優先度が最も高いときに、当該写真に対応するタブが選択され、つまり当該写真についての置き忘れ情報が最も手前に表示される。そして、写真が回収されると、当該写真に対応するタブの表示が消え、つまり当該写真についての置き忘れ情報の表示が消える。
【０２３３】
また前述したように、本第５実施例においては、コピーサービス以外のサービスが提供される場合にも、図２０および図２１に示されるコピーモード画面１００ｄに倣った態様の適宜のモード画面が、ディスプレイ２０２に表示される。これらのモード画面については、その態様を含め、どのような構成のものであるのかを容易に想像し得るので、詳しい説明は省略する。
【０２３４】
本第５実施例においても、アプリケーションボックス２０側のＣＰＵ２２２ａは、前述の第１実施例におけるのと同様の要領で、換言すれば第４実施例におけるのと同様の要領で、物品検出処理を実行する。併せて、ＣＰＵ２２２ａは、第４実施例におけるのと同様の要領で、置き忘れ管理処理を実行する。特に、前述のステップＳ１１１（図１５参照）において、ＣＰＵ２２２ａは、優先度テーブル７５０に基づく優先度が最も高い未回収の物品に対応するタブ（８０２、８０４、８０６など）が選択されるように、置き忘れ注意画面（８００など）を表示する。また、前述のステップＳ１１７（図１５参照）において、ＣＰＵ２２２ａは、優先度テーブル７５０に基づく優先度が最も高い未回収の物品に対応するタブが選択されるように、置き忘れ注意画面の表示を更新する。なお、これらの処理についての詳しい説明は省略する。
【０２３５】
このように本第５実施例によれば、未回収の物品のうち回収する順番の優先度が最も高い物品に対応するタブが選択され、つまり当該優先度が最も高い未回収の物品についての置き忘れ情報（１２０ｄ、１２０ｅなど）が最も手前に表示される。したがって、ユーザは、この置き忘れ情報の内容から、優先的に回収する必要のある物品を直観的かつ明確に認識することができる。このこともまた、各物品の置き忘れを防止するのに大きく貢献し、とりわけ、当該各物品をユーザにとって望ましい順番で確実に回収させるのに大きく貢献する。
【０２３６】
なお、本第５実施例における優先度が最も高い未回収の物品もまた、本発明に係る特定の物品の一例である。すなわち、この優先度が最も高い未回収の物品についての置き忘れ情報が最も手前に表示されることにより、当該置き忘れ情報が目立つ態様で表示される。
【０２３７】
そしてたとえば、図２０に示されるコピーモード画面１００ｄが表示されている状態においては、優先度が最も高い未回収の物品である原稿以外の物品が回収されてもよく、つまり当該原稿よりも優先度が低い印刷物またはおつりが回収されもよい。この場合、図示は省略するが、回収された物品に対応するタブ８０４または８０６の表示が消える。その上で、残された未回収の物品のうちの最も優先度が高い物品、つまり原稿、に対応するタブ８０２が、引き続き選択された状態となる。このことは、図２１に示されるコピーモード画面１００ｄを含む任意のモード画面が表示されている状態において、優先度が最も高い未回収の物品以外の物品が回収された場合も、同様である。
【０２３８】
さらにたとえば、図２０に示されるコピーモード画面１００ｄが表示されている状態において、印刷物に対応するタブ８０４が押下されると、当該タブ８０４が選択され、つまり印刷物についての置き忘れ情報１２０ｅが最も手前に表示される。このことは、図２１に示されるコピーモード画面１００ｄを含む任意のモード画面が表示されている状態において、任意のタブがタッチされた場合も、同様である。
【０２３９】
［第６実施例］
次に、本発明の第６実施例について説明する。
【０２４０】
本第６実施例においては、たとえば第１実施例における図５〜図７に示されるコピーモード画面１００に代えて、図２２および図２３に示されるようなコピーモード画面１００ｆが、ディスプレイ２０２に表示される。具体的には、本第６実施例においては、マルチコピー機１０により提供可能なサービスのうちのコピーサービスが提供される場合に、図２２および図２３に示されるようなコピーモード画面１００ｆが、ディスプレイ２０２に表示される。また、本第６実施例においては、コピーサービス以外のサービスが提供される場合にも、図２２および図２３に示されるコピーモード画面１００ｆに倣った態様の適宜のモード画面が、ディスプレイ２０２に表示される。本第６実施例におけるこれ以外の部分は、第１実施例と同様であるので、当該第１実施例と同様の部分についての説明は、省略する。
【０２４１】
図２２に示されるコピーモード画面１００ｆは、図７に示されるコピーモード画面１００に対応し、換言すれば第５実施例における図２０に示されるコピーモード画面１００ｄに対応する。すなわち、この図２２に示されるコピーモード画面１００ｆは、原稿、印刷物およびおつりという３つの未回収の物品があることを表す。
【０２４２】
より具体的に説明すると、この図２２に示されるコピーモード画面１００ｆによれば、前述の３つの未回収の物品に対応する３つのシート形の置き忘れ注意画面９００、９０２および９０４がポップアップ表示される。これらの置き忘れ注意画面９００、９０２および９０４は、上下方向および左右方向のそれぞれに適当にずれた状態で重なり合っている。そして、最も手前の置き忘れ注意画面９００内に、置き忘れ情報１２０ｆが表示され、厳密には原稿についての置き忘れ情報１２０ｆが表示される。なお、これらの置き忘れ注意画面９００、９０２および９０４がポップアップ表示されることにより、当該置き忘れ注意画面９００、９０２および９０４の背面側に、たとえば第１実施例におけるのと同様の設定キー群１０２の一部、テンキー群１０６、フィールド１０８およびスタートキー１１０が隠れた状態になる。
【０２４３】
最も手前の置き忘れ注意画面９００は、原稿に対応する。そして、この原稿に対応する置き忘れ注意画面９００内に、前述の如く当該原稿についての置き忘れ情報１２０ｆが表示される。この原稿についての置き忘れ情報１２０ｆは、マルチコピー機１０の外観を模式的に表す模擬図９１０を含む。この模擬図９１０は、たとえば置き忘れ注意画面９００の中央よりも少し下方寄りの位置に表示される。さらに、この模擬図８１０における原稿についての所定の箇所である画像読取部３０２の原稿台に対応する部分の近傍に、当該原稿に対応する吹き出し形のインデックス９１２が表示される。このインデックス９１２は、図２０におけるインデックス８１２と同様の態様のものである。また、置き忘れ情報１２０ｆは、図２０における文字列８２０と同様の注意喚起のための適当な文字列９２０を含む。
【０２４４】
ユーザは、このような置き忘れ注意画面９００の内容から、まずは、Ａ４版の原稿が画像読取部３０２の原稿台にセットされたままの状態にあることを、直観的に認識することができる。しかも、この原稿についての置き忘れ情報１２０ｆが、ポップアップ画面である置き忘れ注意画面９００内に大きく表示されるので、当該置き忘れ情報１２０ｆに対するユーザによる視認性が向上する。このことは特に、原稿の置き忘れを確実に防止するのに大きく貢献する。また、ユーザは、置き忘れ注意画面９００の背面側に当該置き忘れ注意画面９００と同様のシート状のもの（つまり他の置き忘れ注意画面９０２および９０４）が表示されていることから、原稿以外にも何らかの未回収の物品があることを、想像することができる。
【０２４５】
この図２２に示されるコピーモード画面１００ｆが表示されている状態において、たとえば原稿が回収されると、当該コピーモード画面１００ｆが、図２３に示されるような態様に変化する。すなわち、この図２３に示されるように、回収された原稿に対応する置き忘れ注意画面９００の表示が消える。これに代わって、印刷物に対応する置き忘れ注意画面９０２が、最も手前に表示される。この印刷物に対応する置き忘れ注意画面９０２内には、当該印刷物についての置き忘れ情報１２０ｇが表示される。
【０２４６】
この印刷物についての置き忘れ情報１２０ｇもまた、前述の原稿についての置き忘れ情報１２０ｆと同様、マルチコピー機１０の外観を模式的に表す模擬図９１０を含む。そして、この模擬図９１０における印刷物についての所定の箇所である排紙トレイ３０８の近傍の位置に、当該印刷物に対応するインデックス９１４が表示される。このインデックス９１４は、図２１におけるインデックス８１４と同様の態様のものである。併せて、置き忘れ情報１２０ｇは、図２１における文字列８２２と同様の注意喚起のための適当な文字列９２２を含む。
【０２４７】
ユーザは、この置き忘れ注意画面９０２の内容から、Ａ４版の印刷物が排紙トレイ３０８に残されていることを、直観的に認識することができる。この印刷物についての置き忘れ情報１２０ｇもまた、ポップアップ画面である置き忘れ注意画面８００内に大きく表示されるので、当該置き忘れ情報１２０ｇに対するユーザによる視認性が向上する。このことは特に、印刷物の置き忘れを確実に防止するのに大きく貢献する。また、ユーザは、置き忘れ注意画面９０２の背面側に当該置き忘れ注意画面９０２と同様のシート状のもの（つまり他の置き忘れ注意画面９０４）が表示されていることから、印刷物以外の未回収の物品があることを、想像することができる。
【０２４８】
この図２２に示されるコピーモード画面１００ｆが表示されている状態において、たとえば印刷物が回収されると、図示は省略するが、当該印刷物に対応する置き忘れ注意画面９０２の表示が消える。そして、おつりに対応する置き忘れ注意画面９０４の全体が表示される状態になる。このおつりに対応する置き忘れ注意画面９０４については、その態様を含め、どのような構成のものであるのかを容易に理解し得るので、詳しい説明は省略する。
【０２４９】
さらに、おつりが回収されると、図示は省略するが、当該おつりに対応する置き忘れ注意画面９０４の表示が消える。そして、このおつりに対応する置き忘れ注意画面９０４の表示が消えることによって、つまり全ての未回収の物品が回収されることによって、当該置き忘れ注意画面９０４の背面側に隠れていた設定キー群１０２の一部やテンキー群１０６などが表示される。
【０２５０】
ここで、各置き忘れ注意画面９００、９０２および９０４が最も手前に表示される順番は、前述の優先度テーブル７５０（図１９参照）に基づく。ゆえにたとえば、改めて図２２を参照すると、この図２２に示されるコピーモード画面１００ｆにおいては、未回収の物品のうち優先度テーブル７５０に基づく優先度が最も高い原稿に対応する置き忘れ注意画面９００が最も手前に表示され、つまり当該原稿についての置き忘れ情報１２０ｆが表示される。またたとえば、図２３を参照すると、この図２３に示されるコピーモード画面１００ｆにおいては、未回収の物品のうち優先度テーブル７５０に基づく優先度が最も高い印刷物に対応する置き忘れ注意画面９０２が最も手前に表示され、つまり当該印刷物に対応する置き忘れ情報１２０ｇが表示される。
【０２５１】
なお、図示は省略するが、写真が出力された場合には、当該写真に対応する置き忘れ注意画面が加わる。そして、写真の優先度が最も高いときに、当該写真に対応する置き忘れ注意画面が最も手前に表示され、つまり当該写真についての置き忘れ情報が表示される。そして、写真が回収されると、当該写真に対応する置き忘れ注意画面の表示が消える。
【０２５２】
また、前述したように、本第６実施例においては、コピーサービス以外のサービスが提供される場合にも、図２２および図２３に示されるコピーモード画面１００ｆに倣った態様の適宜のモード画面が、ディスプレイ２０２に表示される。これらのモード画面については、その態様を含め、どのような構成のものであるのかを容易に想像し得るので、詳しい説明は省略する。
【０２５３】
本第６実施例においても、アプリケーションボックス２０側のＣＰＵ２２２ａは、前述の第１実施例におけるのと同様の要領で、換言すれば第５実施例におけるのと同様の要領で、物品検出処理を実行する。併せて、ＣＰＵ２２２ａは、第５実施例におけるのと同様の要領で、置き忘れ管理処理を実行する。特に、前述のステップＳ１１１（図１５参照）およびステップＳ１１７（図１５参照）において、ＣＰＵ２２２ａは、優先度テーブル７５０に基づく優先度が最も高い未回収の物品に対応する置き忘れ注意画面（９００、９０２、９０４など）が最も手前に表示されるように、当該置き忘れ注意画面の表示態様を制御する。なお、これらの処理についての詳しい説明は省略する。
【０２５４】
このように本第６実施例によれば、未回収の物品のうち回収する順番の優先度が最も高い物品に対応する置き忘れ注意画面が最も手前に表示され、つまり当該優先度が最も高い未回収の物品についての置き忘れ情報（１２０ｆ、１２０ｇなど）が表示される。したがって、ユーザは、この置き忘れ情報の内容から、優先的に回収する必要のある物品を直観的かつ明確に認識することができる。このこともまた、各物品の置き忘れを防止するのに大きく貢献し、とりわけ、当該各物品をユーザにとって望ましい順番で確実に回収させるのに大きく貢献する。
【０２５５】
なお、本第６実施例における優先度が最も高い未回収の物品もまた、本発明に係る特定の物品の一例である。すなわち、この優先度が最も高い未回収の物品に対応する置き忘れ注意画面が最も手前に表示されることにより、当該置き忘れ注意画面内の置き忘れ情報が目立つ態様で表示される。
【０２５６】
そしてたとえば、図２２に示されるコピーモード画面１００ｆが表示されている状態においては、優先度が最も高い未回収の物品である原稿以外の物品が回収されてもよく、つまり当該原稿よりも優先度が低い印刷物またはおつりが回収されもよい。この場合、図示は省略するが、回収された物品に対応する置き忘れ注意画面９０２または９０４の表示が消える。その上で、残された未回収の物品のうちの最も優先度が高い物品、つまり原稿、に対応する置き忘れ注意画面９００が、引き続き最も手前に表示される。このことは、図２３に示されるコピーモード画面１００ｆを含む任意のモード画面が表示されている状態において、優先度が最も高い未回収の物品以外の物品が回収された場合も、同様である。
【０２５７】
さらにたとえば、図２２に示されるコピーモード画面１００ｆが表示されている状態において、最も手前に表示されている置き忘れ注意画面９０２の任意の位置が押下されつつ横方へスライド（スワイプ）されると、当該置き忘れ注意画面９０２が最も背面側にある置き忘れ注意画面９０４のさらに背面側へ移動する。これに代わって、手前から２番目に表示されている置き忘れ注意画面９０２が最も手前に表示される。このことは、図２３に示されるコピーモード画面１００ｆを含む任意のモード画面が表示されている状態において、最も手前に表示されている置き忘れ注意画面の任意の位置が押下されつつ横方へスライドされた場合も、同様である。
【０２５８】
［第７実施例］
次に、本発明の第７実施例について説明する。
【０２５９】
本第７実施例においては、たとえば第１実施例における図５〜図７に示されるコピーモード画面１００に代えて、図２４および図２５に示されるようなコピーモード画面１００ｈが、ディスプレイ２０２に表示される。具体的には、本第７実施例においては、マルチコピー機１０により提供可能なサービスのうちのコピーサービスが提供される場合に、図２４および図２５に示されるようなコピーモード画面１００ｈが、ディスプレイ２０２に表示される。また、本第７実施例においては、コピーサービス以外のサービスが提供される場合にも、図２４および図２５に示されるコピーモード画面１００ｈに倣った態様の適宜のモード画面が、ディスプレイ２０２に表示される。本第７実施例におけるこれ以外の部分は、第１実施例と同様であるので、当該第１実施例と同様の部分についての説明は、省略する。
【０２６０】
図２４に示されるコピーモード画面１００ｆは、図７に示されるコピーモード画面１００に対応し、換言すれば第４実施例における図１７に示されるコピーモード画面１００ｃに対応する。すなわち、この図２４に示されるコピーモード画面１００ｆは、原稿、印刷物およびおつりという３つの未回収の物品があることを表す。
【０２６１】
より具体的に説明すると、この図２４に示されるコピーモード画面１００ｈによれば、図１７に示されるコピーモード画面１００ｃと同様、矩形状の置き忘れ注意画面９５０がポップアップ表示される。そして、この置き忘れ注意画面９５０内に、置き忘れ情報１２０ｈが表示される。なお、置き忘れ注意画面９５０がポップアップ表示されることにより、当該置き忘れ注意画面９５０の背面側に、たとえば第１実施例におけるのと同様の設定キー群１０２の一部、テンキー群１０６、フィールド１０８およびスタートキー１１０が隠れた状態になる。
【０２６２】
この置き忘れ注意画面９５０内に表示される置き忘れ情報１２０ｈは、図１７における置き忘れ情報１２０ｃと同様、マルチコピー機１０の外観を模式的に表す模擬図９６０を含む。そして、この模擬図９６０の周囲の適当な位置に、前述の３つの未回収の物品に対応する３つのインデックス９６２、９６４および９６６が表示される。
【０２６３】
各インデックス９６２、９６４および９６６は、図１７における各インデックス７１２、７１４、７１６と同様の態様であり、つまり原稿に対応するインデックス９６２のみが、他のインデックス９６４および９６６よりも大きく表示される。また、この図２４における置き忘れ情報１２０ｈは、図１７における置き忘れ情報１２０ｃと同様、注意喚起のための適当な文字列９７０を含む。
【０２６４】
この図２４に示されるコピーモード画面１００ｈが表示されている状態において、たとえばいずれの未回収の物品も回収されずに、一定の時間が経過すると、当該コピーモード画面１００ｈは、図２５に示されるような態様に変化する。すなわち、この図２５に示されるように、原稿に対応するインデックス９６２に代わって、印刷物に対応するインデックス９６４が大きく表示される。
【０２６５】
そして、この図２５に示されるコピーモード画面１００ｈが表示されている状態において、いずれの未回収の物品も回収されずに、一定の時間が経過すると、図示は省略するが、印刷物に対応するインデックス９６４に代わって、おつりに対応するインデックス９６６が大きく表示される。さらに、このおつりに対応するインデックス９６６が大きく表示されている状態において、いずれの未回収の物品も回収されずに、一定の時間が経過すると、当該おつりに対応するインデックス９６６に代わって、原稿に対応するインデックス９６２が改めて大きく表示される。すなわち、コピーモード画面１００ｈの態様が、図２４に示される態様に戻る。
【０２６６】
要するに、原稿、印刷およびおつりという３つの未回収の物品があるときのコピーモード画面１００ｈによれば、これら３つの未回収の物品に対応する３つのインデックス９６２、９６４および９６６のうちの１つのみが大きく表示される。そして、いずれの未回収の物品も回収されない間は、一定の時間が経過するごとに、各インデックス９６２、９６４および９６６のうち大きく表示されるものが順次変更される。このように各インデックス９６２、９６４および９６６の表示態様に変化が付けられることで、これら各インデックス９６２、９６４および９６６を含む置き忘れ情報１２０ｈに対するユーザによる視認性が向上する。このこともまた、各物品の置き忘れを防止するのに大きく貢献する。ここで言う一定の時間、つまり大きく表示させるインデックスを変更する周期は、たとえば１秒間〜数秒間程度が適当である。
【０２６７】
なお、各インデックス９６２、９６４および９６６が１つずつ大きく表示される順番は、前述の優先度テーブル７５０（図１９参照）に基づく。ゆえにたとえば、図２４に示される如く原稿に対応するインデックス９６２が大きく表示された次は、未回収の物品のうち当該原稿に続いて優先度テーブル７５０に基づく優先度が高い印刷物に対応するインデックス９６４が図２５に示される如く大きく表示される。そして次に、未回収の物品のうち印刷物に続いて優先度テーブル７５０に基づく優先度が高いおつりに対応するインデックス９６６が前述の如く大きく表示された後、改めて図２４に示される如く原稿に対応するインデックス９６２が大きく表示される。
【０２６８】
このように３つのインデックス９６２、９６４および９６６が表示されている状態において、いずれかの未回収の物品が回収されると、図示は省略するが、回収された物品に対応するインデックス９６２、９６４または９６６の表示が消える。そして、残された２つの未回収の物品に対応する２つのインデックスが、前述の一定の時間が経過するごとに、１つずつ、つまり交互に、大きく表示される。さらに、これら２つの未回収の物品のいずれかが回収されると、図示は省略するが、回収された物品に対応するインデックスの表示が消える。そして、残された１つの未回収の物品に対応するインデックスが、大きく表示される。そして、この残された１つの未回収の物品が回収されると、つまり全ての未回収の物品が回収されると、図示は省略するが、回収されたインデックスの表示が消えて、さらに、置き忘れ注意画面９５０の表示が消える。この結果、置き忘れ注意画面９５０の背面側に隠れていた設定キー群１０２の一部やテンキー群１０６などが表示される。
【０２６９】
なお、図示は省略するが、写真が出力された場合には、当該写真に対応するインデックスが加わる。この写真に対応するインデックスについても、前述の優先度テーブル７５０に基づく優先度の順番に従って、大きく表示される。そして、写真が回収されると、当該写真に対応するインデックスの表示が消える。
【０２７０】
また、前述したように、本第７実施例においては、コピーサービス以外のサービスが提供される場合も、図２４および図２５に示されるコピーモード画面１００ｈに倣った態様の適宜のモード画面が、ディスプレイ２０２に表示される。これらのモード画面については、その態様を含め、どのような構成のものであるのかを容易に理解し得るので、詳しい説明は省略する。
【０２７１】
本第７実施例においても、アプリケーションボックス２０側のＣＰＵ２２２ａは、前述の第１実施例におけるのと同様の要領で、換言すれば第３実施例におけるのと同様の要領で、物品検出処理を実行する。併せて、ＣＰＵ２２２ａは、第３実施例におけるのと同様の要領で、置き忘れ管理処理を実行する。特に、前述のステップＳ１１１（図１５参照）において、ＣＰＵ２２２ａは、優先度テーブル７５０に基づく優先度が最も高い未回収の物品に対応するインデックス（９６２、９６４、９６６など）が大きく表示されるように、置き忘れ注意画面（９５０など）を表示する。また、前述のステップＳ１１７（図１５参照）において、ＣＰＵ２２２ａは、優先度テーブル７５０に基づく優先度が最も高い未回収の物品に対応するインデックスが大きく表示されるように、置き忘れ注意画面の表示態様を更新する。さらに、本第７実施例における置き忘れ管理処理によれば、ＣＰＵ２２２ａは、前述のステップＳ１２３（図１６参照）へ処理を進める前に、図２６に示されるステップＳ２０１〜ステップＳ２０９に従う各処理を実行する。
【０２７２】
すなわち、前述のステップＳ１１５（図１５参照）において、置き忘れ検出レジスタ４６２の記憶内容と一時記憶レジスタ４６４の記憶内容とが相違していない場合、つまり未回収の物品の状態に変化がない場合（Ｓ１１５：ＮＯ）、ＣＰＵ２２２ａは、処理をステップＳ２０１へ進める。また、前述のステップＳ１２１（図１５参照）において、未回収の物品を回収する期限までの時間をカウントするためのタイマをリセットした上でスタートさせた後も、ＣＰＵ２２２ａは、処理をステップＳ２０１へ進める。
【０２７３】
ステップＳ２０１において、ＣＰＵ２２２ａは、大きく表示するインデックスを変更するタイミングを計るための第２タイマをリセットした上でスタートさせる。この第２タイマもまた、前述のタイマと同様、ＣＰＵ２２２ａによって構成されるソフトウェアタイマである。そして、ＣＰＵ２２２ａは、処理をステップＳ２０３へ進める。
【０２７４】
ステップＳ２０３において、ＣＰＵ２２２ａは、第２タイマのカウント時間がタイムアップしたかどうかを、つまり大きく表示するインデックスを変更するタイミングが到来したかどうかを、判定する。ここでたとえば、第２タイマのカウント時間がタイムアップしていない場合、つまり大きく表示するインデックスを変更するタイミングがまだ到来していない場合（Ｓ２０３：ＮＯ）、ＣＰＵ２２２ａは、処理をステップＳ１２３へ進める。一方、第２タイマのカウント時間がタイムアップした場合は、つまり大きく表示するインデックスを変更するタイミングが到来した場合は（Ｓ２０３：ＹＥＳ）、ＣＰＵ２２２ａは、処理をステップＳ２０５へ進める。なお、第２タイマのカウント時間がタイムアップするまでの時間は、前述の如く１秒間〜数秒間程度が適当である。
【０２７５】
ステップＳ２０５において、ＣＰＵ２２２ａは、前述のステップＳ１０５における置き忘れ検出レジスタ４６２の参照結果に基づいて、複数の未回収の物品が残っているかどうかを判定する。ここでたとえば、複数の未回収の物品が残っていない場合、つまり１つの未回収の物品のみが残っている場合（Ｓ２０５：ＮＯ）、ＣＰＵ２２２ａは、処理をステップＳ１２３へ進める。一方、複数の未回収の物品が残っている場合は（Ｓ２０５：ＹＥＳ）、ＣＰＵ２２２ａは、処理をステップＳ２０７へ進める。
【０２７６】
ステップＳ２０７において、ＣＰＵ２２２ａは、大きく表示するインデックスが変更されるように、置き忘れ注意画面の表示態様を更新する。いずれのインデックスを大きく表示するのかは、前述の如く優先度テーブル７５０に基づく。これにより、大きく表示されるインデックスが変更される。そして、ＣＰＵ２２２ａは、処理をステップＳ２０９へ進める。
【０２７７】
ステップＳ２０９において、ＣＰＵ２２２ａは、改めて前述の第２タイマをリセットした上でスタートさせる。そして、ＣＰＵ２２２ａは、処理をステップＳ１２３へ進める。
【０２７８】
このように本第７実施例によれば、複数の未回収の物品があるときに、これら複数の未回収の物品に対応する複数のインデックス（９６２、９６４および９６６など）のうちの１つのみが大きく表示される。そして、いずれの未回収の物品も回収されない間は、一定の時間が経過するごとに、各インデックスのうち大きく表示されるものが順次変更される。すなわち、各インデックスの表示態様に変化が付けられることで、これら各インデックスを含む置き忘れ情報（１２０ｈなど）に対するユーザの視認性が向上する。このこともまた、各物品の置き忘れを防止するのに大きく貢献する。
【０２７９】
なお、本第７実施例において、大きく表示されるインデックスに対応する未回収の物品もまた、本発明に係る特定の物品の一例である。このインデックスが大きく表示されることに代えて、あるいは、これに加えて、当該インデックスに適当な色彩や文字などが付されることによって、当該インデックスが目立つ態様で表示されてもよい。そして、図２６に示される流れに従って処理を実行するＣＰＵ２２２ａは、とりわけステップＳ２０７において大きく表示するインデックスを変更する（換言すれば当該インデックスに対応する未回収の物品を変更する）ＣＰＵ２２２ａは、本発明に係る変更手段の一例である。
【０２８０】
本第７実施例においては、前述の如く一定の時間が経過するごとに、つまり定期的に、各インデックスのうち大きく表示されるものが順次変更されたが、これに限らない。たとえば、不定期的に、つまり不規則（ランダム）な時間間隔で、各インデックスのうち大きく表示されるものが順次変更されてもよい。
【０２８１】
また、本第７実施例においては、各インデックスのうち大きく表示されるものの順番が、前述の優先度テーブル７５０に基づく優先度順とされたが、これに限らない。すなわち、この順番は、優先度以外の順番でもよいし、不規則な順番でもよい。
【０２８２】
さらに、本第７実施例の態様が、たとえば前述の第５実施例の態様に適用されてもよい。すなわち、第５実施例における図２０および図２１に示されるようなタブ付の置き忘れ注意画面（８００など）において、複数の未回収の物品があるときは、いずれの未回収の物品も回収されない間は、定期的または不定期的に、選択されるタブが変更されてもよい。
【０２８３】
これと同様に、本第７実施例の態様が、前述の第６実施例の態様に適用されてもよい。すなわち、第６実施例における図２２および図２３に示されるようなシート形の置き忘れ注意画面（９００、９０２、９０４など）において、複数の未回収の物品があるときは、いずれの未回収の物品も回収されない間は、定期的または不定期的に、最も手前に表示される置き忘れ注意画面が変更されてもよい。
【０２８４】
［その他の適用例］
以上の各実施例は、本発明の具体例であり、本発明の技術的範囲を限定するものではない。これら各実施例以外の局面にも、本発明を適用することができる。
【０２８５】
たとえば、図５に示されるコピーモード画面１００をはじめとする各画面の構成は、ここで説明した構成に限定されない。ここで説明した構成に加えて、あるいは、これに代えて、アニメーションや動画などを用いて、未回収の物品があることを表してもよい。
【０２８６】
またたとえば、住民基本台帳カードもしくは個人番号カードというＩＣカードについては、これを使用する必要性がなくなった段階で、つまり近距離通信部２１２との近距離無線通信が終了した段階で、これを早急に回収するよう促すメッセージが、置き忘れ情報に盛り込まれてもよい。
【０２８７】
さらに、各実施例においては、図４に示される関係に基づいて、マルチコピー機１０により提供可能なそれぞれのサービスごとに、置き忘れられる虞のある物品が管理されたが、これに限らない。たとえば、マルチコピー機１０により提供可能なサービスに拘らず、置き忘れられる虞のある全ての物品が一括的（一様）に管理されてもよい。
【０２８８】
そして、各実施例においては、マルチコピー機１０に本発明が適用される場合について説明したが、マルチコピー機１０以外の情報処理装置、たとえばコピー機能のみを有するコピー機にも、本発明を適用することができる。
【符号の説明】
【０２８９】
１０  …マルチコピー機
２０  …アプリケーションボックス
３０  …複合機本体
１２０  …置き忘れ情報
５０４ａ  …アイコン
２０２  …ディスプレイ
２０４  …タッチパネル
２０６  …外部記憶媒体装着部
２１２  …近距離通信部
２２２  …制御部
２２２ａ  …ＣＰＵ
２１４  …貨幣処理部
２１６  …写真用プリンタ
３０２  …画像読取部
３０４  …画像形成部
３０８  …排紙トレイ
【図１】
2019209480.tif 000003
【図２】
2019209480.tif 000004
【図３】
2019209480.tif 000005
【図４】
2019209480.tif 000006
【図５】
2019209480.tif 000007
【図６】
2019209480.tif 000008
【図７】
2019209480.tif 000009
【図８】
2019209480.tif 000010
【図９】
2019209480.tif 000011
【図１０】
2019209480.tif 000012
【図１１】
2019209480.tif 000013
【図１２】
2019209480.tif 000014
【図１３】
2019209480.tif 000015
【図１４】
2019209480.tif 000016
【図１５】
2019209480.tif 000017
【図１６】
2019209480.tif 000018
【図１７】
2019209480.tif 000019
【図１８】
2019209480.tif 000020
【図１９】
2019209480.tif 000021
【図２０】
2019209480.tif 000022
【図２１】
2019209480.tif 000023
【図２２】
2019209480.tif 000024
【図２３】
2019209480.tif 000025
【図２４】
2019209480.tif 000026
【図２５】
2019209480.tif 000027
【図２６】
2019209480.tif 000028